(57)【特許請求の範囲】
【請求項１】
画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置の駆動方法であって、
表示すべき画像に変化がないときには、上記画面を１回走査する走査期間の後、該走査期間よりも長く全走査信号線を非走査状態とする休止期間を設け、
表示すべき画像が変化したときは、上記休止期間を、画面を複数回連続して走査した後で設けることを特徴とする表示装置の駆動方法。
【請求項２】
上記休止期間中に、表示に無関係な回路の動作を停止する停止期間を設けることを特徴とする請求項１記載の表示装置の駆動方法。
【請求項３】
上記画面を１回走査する走査期間を複数回連続して設けた後に上記休止期間を設ける動作を、繰り返し行うに際し、上記走査期間を奇数回連続して設けた後、上記休止期間を設けると共に、走査期間ごとに、画素の画素電極と対向電極との電位差の極性が反転するように、上記画素電極および／または対向電極の電位を制御することを特徴とする請求項１または２に記載の表示装置の駆動方法。
【請求項４】
画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置の駆動方法であって、
上記画面を１回走査する期間よりも長く全走査信号線を非走査状態とする休止期間を、上記画面を複数回連続して走査した後で設け、
上記画面を１回走査する走査期間を複数回連続して設けた後に上記休止期間を設ける動作を、繰り返し行うに際し、上記走査期間を偶数回設けた後、上記休止期間を設けると共に、休止期間直後の走査期間は、画素の画素電極と対向電極との電位差の極性が、直前の休止期間における上記電位差の極性と同じであり、かつ、次の休止期間に至るまでの走査期間における上記電位差の極性が走査期間ごとに反転するように、上記画素電極および／または対向電極の電位を制御することを特徴とする表示装置の駆動方法。
【請求項５】
画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置の駆動方法であって、
上記画面を１回走査する期間よりも長く全走査信号線を非走査状態とする休止期間を、上記画面を複数回連続して走査した後で設け、
上記画面を１回走査する走査期間を複数回連続して設けた後に上記休止期間を設ける動作を、繰り返し行うに際し、休止期間直後の走査期間は、画素の画素電極と対向電極との電位差の極性が、直前の休止期間における上記電位差の極性と反転しており、かつ、次の休止期間に至るまでの走査期間における上記電位差の極性が同じになるように、上記画素電極および／または対向電極の電位を制御することを特徴とする表示装置の駆動方法。
【請求項６】
画素がマトリクス状に配置されてなる画面の各ラインを、各々のラインにおける画素の走査信号線に走査信号を印加することにより選択して上記画面を所定の書き換え周期で走査し、選択されたラインの画素にデータ信号線からデータ信号を供給して表示を行う表示装置の駆動方法であって、
表示すべき画像に変化がないときの書き換え周期を所定の書き換え周期よりも長くし、表示すべき画像が変化したときのみ、所定の書き換え周期にて上記画面を複数回連続して走査することを特徴とする表示装置の駆動方法。
【請求項７】
画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置において、
当該表示装置の駆動を制御する制御手段と、
表示すべき画像の変化を検出する検出手段とを備え、
上記制御手段は、上記検出手段の検出結果に応じて、表示すべき画像に変化がないときには、上記画面を１回走査した後、上記画面を１回走査する走査期間よりも長く全走査信号線を非走査状態とし、
表示すべき画像が変化したときは、上記画面を複数回連続して走査した後、上記画面を１回走査する走査期間よりも長く全走査信号線を非走査状態にすることを特徴とする表示装置。
【請求項８】
上記制御手段は、上記画面を１回走査する走査期間よりも長く全走査信号線を非走査状態とする間に、表示に無関係な回路の動作を停止する期間を設けることを特徴とする請求項７記載の表示装置
【請求項９】
上記制御手段は、上記画面を１回走査する走査期間を複数回連続して設けた後に上記画面を１回走査する走査期間よりも長く全走査信号線を非走査状態とする休止期間を設ける動作を、繰り返し行うに際し、上記走査期間を奇数回連続して設けた後、上記休止期間を設けると共に、走査期間ごとに、画素の画素電極と対向電極との電位差の極性が反転するように、上記画素電極および／または対向電極の電位を制御することを特徴とする請求項７または８記載の表示装置。
【請求項１０】
上記制御手段は、上記画面を１回走査する走査期間を複数回連続して設けた後に上記画面を１回走査する走査期間よりも長く全走査信号線を非走査状態とする休止期間を設ける動作を、繰り返し行うに際し、上記走査期間を偶数回連続して設けた後、上記休止期間を設けると共に、休止期間直後の走査期間は、画素の画素電極と対向電極との電位差の極性が、直前の休止期間における上記電位差の極性と同じであり、かつ、次の休止期間に至るまでの走査期間における上記電位差の極性が走査期間ごとに反転するように、上記画素電極および／または対向電極の電位を制御することを特徴とする請求項７または８記載の表示装置。
【請求項１１】
上記制御手段は、上記画面を１回走査する走査期間を複数回連続して設けた後に上記画面を１回走査する走査期間よりも長く全走査信号線を非走査状態とする休止期間を設ける動作を、繰り返し行うに際し、休止期間直後の走査期間は、画素の画素電極と対向電極との電位差の極性が、直前の休止期間における上記電位差の極性と反転しており、かつ、次の休止期間に至るまでの走査期間における上記電位差の極性が同じになるように、上記画素電極および／または対向電極の電位を制御することを特徴とする請求項７記載の表示装置。
【請求項１２】
画素がマトリクス状に配置されてなる画面の各ラインを、各々のラインにおける画素の走査信号線に走査信号を印加することにより選択して上記画面を所定の書き換え周期で走査し、選択されたラインの画素にデータ信号線からデータ信号を供給して表示を行う表示装置において、
当該表示装置の駆動を制御する制御手段と、
表示すべき画像の変化を検出する検出手段とを備え、
上記制御手段は、表示すべき画像に変化がないときの書き換え周期が所定の書き換え周期よりも長く、表示すべき画像が変化したときのみ、所定の書き換え周期にて上記画面を複数回連続して走査するように、上記検出手段の検出結果に応じて上記走査信号線への走査信号の印加を制御することを特徴とする表示装置。
【発明の詳細な説明】
【０００１】
【発明の属する技術分野】
本発明は、マトリクス型の表示装置の低消費電力化に関するものである。
【０００２】
【従来の技術】
近年、ワードプロセッサ、ラップトップ型パーソナルコンピュータ、ポケットテレビなどへの液晶表示装置の応用が急速に進展している。特に、液晶表示装置の中でも外部から入射した光を反射させて表示を行う反射型液晶表示装置は、バックライトが不要であるため消費電力が少なく薄型であって、軽量化が可能であることから注目されている。
【０００３】
従来の反射型液晶表示装置は、時計などに用いられている単純な数字や絵文字のみを表示することのできるセグメント表示方式、さらにパーソナルコンピュータや携帯情報端末などの複雑な表示に対応することのできるものとして、単純マルチプレックス駆動方式と、ＴＦＴ（Thin Film Transistor）などのアクティブ素子を使用したアクティブマトリクス駆動方式とに大別される。各方式とも消費電力を低減することが望ましい。
【０００４】
セグメント表示方式の消費電力を削減する方法として特開平５−２３２４４７号公報には、スタンバイ時、すなわち全面白表示もしくは全面黒表示となる画像非表示時に、コモン電極とセグメント電極とを同電位にして安定した白べた表示もしくは黒べた表示を行うことが開示されている。また、特開平２−２１０４９２号公報には、スタンバイ時に液晶を直接駆動するＭＯＳ型トランジスタをハイインピーダンス状態とすることにより、駆動回路の消費電力を削減する方法が開示されている。これらの技術はいずれもセグメント表示の液晶表示装置を対象としているため、その表示性能は単純な数字や絵文字を表示することに限られており、パーソナルコンピュータや携帯情報端末などのように複雑な情報を表示する機器に適用することが不可能である。
【０００５】
また、このような駆動方法をマトリクス型液晶表示装置に用いることは困難である。詳しくは、例えば図１５に示すような４×４のマトリクス型液晶表示装置の場合、走査信号線Ｇ（０）〜Ｇ（３）のそれぞれに供給する走査信号は図１６に示すようなものとなり、走査信号線Ｇ（０）〜Ｇ（３）に選択電圧が順次印加される。このように選択された各ラインに対し、走査信号と同期させてデータ信号線Ｓ（０）〜Ｓ（３）にデータ信号を供給することにより各画素にデータに対応した電荷を書き込む。そして最終ラインを走査した後は、図１７に示すように僅かな時間の垂直帰線期間を経て再び１ライン目から走査を開始する。この垂直帰線期間はもともとＣＲＴの内部にある電子銃からの電子ビームが元の位置に戻るために設けられた時間であるため、液晶表示装置には全く必要がない。しかし、通常のテレビジョン映像などを液晶表示装置において再生するためには、ＮＴＳＣ(National Television System Committee)などのテレビジョン映像の信号と互換性を保つために設けられている。
【０００６】
以上のように、マトリクス型液晶表示装置の場合、データ信号線が画面の縦方向に配列した複数の画素を順次駆動しなければならず、上記セグメント表示方式のセグメント出力に相当するような１つの画素だけを駆動するためのデータ信号出力というものがない。このため、１画面の最下段のラインの画素に電荷を書き込んだ後、セグメント表示方式の駆動方法を応用してデータ信号線と画素の対向電極とをハイインピーダンス状態に保ったとしても、最下段以外の画素にとっては書き込まれた電荷を保持していることにはならず、安定した表示を得ることができない。
【０００７】
マトリクス型液晶表示装置のうち単純マルチプレックス駆動方式のものでは、２型程度の大きさで消費電力が１０ｍＷ〜１５ｍＷ程度と十分に小さいものの、明るさおよびコントラストが低く、応答速度が遅いなど基本的な表示品位に問題がある。一方、ＴＦＴなどを使用したアクティブ駆動方式では、明るさおよびコントラストが高く、応答速度も速く、基本的な表示品位は十分であるものの、消費電力は２型程度の大きさでも１００ｍＷ〜１５０ｍＷであり、十分に満足することができるものではなかった。
【０００８】
これに対して、これまでも十分な低消費電力化と良好な表示品位とのための研究開発が精力的に行われており、例えば実開昭６０−５０５７３号公報や特開平１０−１０４８９号公報に消費電力を低減する方法が開示されている。これらの公報の方法はテレビジョン信号の送信方法に着目したものであり、垂直帰線期間にデータが存在しないことを利用し、垂直帰線期間に周辺駆動回路の動作を停止させることによって消費電力の低減を図るものである。
【０００９】
また、別の方法として特開平９−１０７５６３号公報に開示されたものがある。これは、左右両眼に対応した２つの液晶パネルを有するフィールド順次立体画像表示用ヘッドマウント型ディスプレイの低消費電力化に関するものであり、１フィールド期間は片方の液晶パネルのみを駆動して他方の液晶パネルは停止させ、フィールド期間ごとに駆動を交互に切り換えて表示を行う方法である。
【００１０】
さらに別の方法として、SID '95 予稿集p249〜P252および特開平３−２７１７９５号公報にはマルチフィールド駆動法が提案されている。これは、一画面の走査を走査信号線の１本おきもしくは複数本おきとして複数回に分割して行い、１回の走査中はデータ信号線の電圧の極性反転を行わないことにより、データ信号線ドライバの消費電力の低減を行うものである。また、各ラインで発生する明るさの変化、すなわちチラツキを、隣接する反対極性のラインのチラツキで相殺することにより全体としてチラツキのない表示を実現することも目的としている。
【００１１】
さらに、例えば特開平６−３４２１４８号公報に開示されている方式のように、液晶パネルに強誘電性液晶を用いてメモリ性を持たせ、駆動周波数（リフレッシュレート）を小さくして消費電力を削減する方法もある。
【００１２】
【発明が解決しようとする課題】
しかしながら、垂直帰線期間に周辺駆動回路の動作を停止させる方法では、実開昭６０−５０５７３号公報にも記載されているように、垂直帰線期間が全体の８％程度の時間でしかなく、この期間に削減することのできる消費電力は５％程度に過ぎない。
【００１３】
また、特開平９−１０７５６３号公報の方法は、全てのフィールド期間にいずれかの液晶パネルを駆動していることとなり、消費電力は増加しないだけで決して削減することはできない。さらに、左右両眼ヘッドマウント型ディスプレイとすることで、片方のディスプレイに対しては必ずリフレッシュが行われており、このためチラツキの少ない画像を得ている。しかし、一般に、液晶表示装置では３０Ｈｚ、特に４５Ｈｚ程度以上で駆動したときにチラツキのない表示が得られるので、この方法を１つの液晶パネルを直視する方式に適用すると、チラツキは知覚されやすくなる。
【００１４】
さらに、マルチフィールド駆動を行ってもラインごとにチラツキが発生しており、隣接するラインで相殺しても実際にはチラツキが知覚され、視認性が著しく低下する。また、駆動周波数の低減は僅かであって低消費電力化も十分とは言えない。さらに、マルチフィールド駆動方式では一画面を複数枚のサブフィールドに分割し、走査を走査信号線の１本おきもしくは複数本おきに行うために、一旦、画像をフレームメモリに蓄積した後、駆動する走査信号線に対応する信号を読み出す必要があり、回路構成が複雑化することは避けられない。従って、周辺回路が大型化してコストアップにつながるという欠点を有している。
【００１５】
さらに、特開平６−３４２１４８号公報に開示されている方法では、強誘電性液晶が基本的に２値（白黒）表示であるために階調表示ができず、自然画の表示ができない。さらに、強誘電性液晶をパネル化するには高度なパネル作成技術が要求されるため、実現が困難であり、今日に至るまで実用化に至っていない。
【００１６】
このように、従来のマトリクス型液晶表示装置の駆動方法では、明るさ、コントラスト、応答速度、階調性などの基本的な表示品位を満たした状態で、容易に十分な低消費電力化を図ることができなかった。さらに、上記従来のマトリクス型液晶表示装置の駆動方法では、十分な低消費電力化とチラツキのない高表示品位とを両立させることができなかった。これらの問題点は液晶表示装置に限らず、マトリクス型の表示装置一般について言えることでもある。
【００１７】
本発明は、上記従来の問題点に鑑みなされたものであり、その目的は、明るさ、コントラスト、応答速度、階調性などの基本的な表示品位を満たした状態で、容易に十分な低消費電力化を図ることのできるマトリクス型の表示装置の駆動方法、および該方法の実施に用いる表示装置を提供することにある。
【００１８】
【課題を解決するための手段】
本発明の表示装置の駆動方法は、上記の課題を解決するために、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置の駆動方法であって、上記画面を１回走査する期間よりも長く全走査信号線を非走査状態とする休止期間を、上記画面を複数回走査した後で設けることを特徴としている。
【００１９】
上記の方法によれば、休止期間には全走査信号線を非走査状態とするので、画面を書き換える回数、すなわち、データ信号を出力している時間を短くすることができる。従って、休止期間を設けることで、例えばアクティブマトリクス駆動方式の液晶表示装置など、データ信号を出力している時間、言い換えればデータ信号の供給周波数に正比例して増加するデータ信号線ドライバ（ソースドライバ）の消費電力、画素を充電する電力を容易に削減することができる。
【００２０】
また、上記の方法によれば、上記画面を複数回走査することで、例えば表示の応答が完了するまで繰り返し書き込みを行うことができる。このため、複数回の走査期間と休止期間とからなる繰り返し間隔よりも短い期間で応答を完了させることができる。
【００２１】
つまり、選択されたラインの画素にデータ信号線からデータ信号を供給したとき、表示すべき画像の変化に際し、１回の画面の書き換えでは、画素電極は、所望の輝度を得るための所定の電圧まで印加されず、所定の電圧が印加されるまでには複数回の書き換えを必要とする。
【００２２】
しかしながら、上記の方法によれば、上記休止期間を、上記画面を複数回走査した後で設けることで、休止期間を設けても、十分な表示の応答速度を確保し、明るさ、コントラスト、応答速度、階調性などの基本的な表示品位を満たすことができる。
【００２３】
このため、上記画面を複数回連続して走査した後、つまり、１画面を書き換える走査を複数回行った後で上記休止期間を設けることで、十分な表示の応答速度を確保し、明るさ、コントラスト、応答速度、階調性などの基本的な表示品位を満たした状態で、容易に十分な低消費電力化を図ることができる。
【００２４】
また、上記表示装置の駆動方法においては、上記画面を１回走査する走査期間を複数回連続して設けた後、上記休止期間を設けることが好ましい。
【００２５】
表示装置として液晶表示装置を用いる場合のように、垂直帰線期間を必要としない表示装置においては、複数回連続して走査を行なうことが可能である。このため、各走査期間の間には垂直帰線期間の他、短い非走査期間を設けることもできるが、十分な表示の応答速度を確保するためには、走査期間を連続して設けることが可能である表示装置においては、走査期間を連続して複数回設けることが好ましい。
【００２６】
また、本発明の表示装置の駆動方法は、上記の課題を解決するために、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置の駆動方法であって、表示すべき画像に変化がないときには、上記画面を１回走査する走査期間の後、該走査期間よりも長く全走査信号線を非走査状態とする休止期間を設け、表示すべき画像が変化したときは、上記休止期間を、画面を複数回走査した後で設けることを特徴としている。
【００２７】
上記の方法によれば、上記表示装置の駆動を、表示すべき画像に変化がないときと表示すべき画像が変化したときとで切り替えることにより、静止画や動画など表示画像の種類ごとに最適な応答性、表示品位、低消費電力化を図ることができる。例えば、上記の方法によれば、休止期間には全走査信号線を非走査状態とするので、画面を書き換える回数、すなわち、データ信号を出力している時間を短くすることができる。従って、休止期間を設けることで、例えばアクティブマトリクス駆動方式の液晶表示装置など、データ信号を出力している時間、言い換えればデータ信号の供給周波数に正比例して増加するデータ信号線ドライバ（ソースドライバ）の消費電力、画素を充電する電力を容易に削減することができる。
【００２８】
このとき、表示すべき画像に変化がないときには、上記画面を１回走査する走査期間の後、該走査期間よりも長く全走査信号線を非走査状態とする休止期間を設けることで、静止画のように動きのない表示（表示すべき画像に変化がない表示）や動画でも画像の動きの少ない表示などに対しては、画面を書き換えることによる消費電力を、明るさ、コントラスト、応答速度、階調性などの基本的な表示品位を保ったまま削減することができる。
【００２９】
一方、表示すべき画像が変化したときは、上記画面を複数回走査することで、例えば表示の応答が完了するまで繰り返し書き込みを行うことができる。このため、複数回の走査期間と休止期間とからなる繰り返し間隔よりも短い期間で応答を完了させることができる。
【００３０】
つまり、前記したように、選択されたラインの画素にデータ信号線からデータ信号を供給したとき、表示すべき画像の変化に際し、１回の画面の書き換えでは、画素電極は、所望の輝度を得るための所定の電圧まで印加されず、所定の電圧が印加されるまでには複数回の書き換えを必要とする。
【００３１】
しかしながら、上記の方法によれば、上記休止期間を、上記画面を複数回走査した後で設けることで、休止期間を設けても、十分な表示の応答速度を確保し、明るさ、コントラスト、応答速度、階調性などの基本的な表示品位を満たすことができる。
【００３２】
このため、通常、すなわち、表示すべき画像に変化がないときは画面の走査を１回のみ行い、表示が切り替わったとき、すなわち、表示すべき画像が変化したときのみ画面の走査を複数回繰り返すことで、十分な表示の応答速度を確保し、明るさ、コントラスト、応答速度、階調性などの基本的な表示品位を満たした状態で、画面を書き換える回数、すなわち、データ信号を出力している時間をより一層短くすることができ、より一層低消費電力化を図ることができる。
【００３３】
また、上記表示装置の駆動方法においては、表示すべき画像が変化したとき、上記走査期間を複数回連続して設けた後、上記休止期間を設けることが好ましい。
【００３４】
表示装置として液晶表示装置を用いる場合のように、垂直帰線期間を必要としない表示装置においては、複数回連続して走査を行なうことが可能である。このため、各走査期間の間には垂直帰線期間の他、短い非走査期間を設けることもできるが、十分な表示の応答速度を確保するためには、走査期間を連続して設けることが可能である表示装置においては、表示すべき画像が変化したときには、走査期間を連続して複数回設けることが好ましい。
【００３５】
本発明の表示装置の駆動方法は、上記各構成に加えて、上記休止期間中に、表示に無関係な回路の動作を停止する停止期間を設けることを特徴としている。
【００３６】
上記の方法によれば、休止期間中に、表示に無関係な回路の動作を停止する停止期間を設けるため、休止期間において表示に無関係な回路によって消費される電力を削減することができる。このため、表示装置全体の消費電力をさらに低減することができる。
【００３７】
本発明の表示装置の駆動方法においては、上記画面を１回走査する走査期間を複数回連続して設けた後に上記休止期間を設ける動作を、繰り返し行うに際し、上記走査期間を奇数回連続して設けた後、上記休止期間を設けると共に、走査期間ごとに、画素の画素電極と対向電極との電位差の極性が反転するように、上記画素電極および／または対向電極の電位を制御することが好ましい。
【００３８】
また、本発明の表示装置の駆動方法においては、上記画面を１回走査する走査期間を複数回連続して設けた後に上記休止期間を設ける動作を、繰り返し行うに際し、上記走査期間を偶数回連続して設けた後、上記休止期間を設けると共に、休止期間直後の走査期間は、画素の画素電極と対向電極との電位差の極性が、直前の休止期間における上記電位差の極性と同じであり、かつ、次の休止期間に至るまでの走査期間における上記電位差の極性が走査期間ごとに反転するように、上記画素電極および／または対向電極の電位を制御することが好ましい。
【００３９】
上記の各方法によれば、一回の走査ごとに上記電位差の極性が反転する。また、上記の各方法によれば、休止期間中における上記電位差の極性を、休止期間ごとに反転させることができる。このため、上記の方法によれば、上記表示装置を交流駆動することが可能となる。このため、例えば、液晶表示装置のように交流駆動に適した表示装置において、例えば、液晶に直流が印加されることに起因する液晶の信頼性や表示品位の低下を防止することができる。よって、上記の方法によれば、良好な表示品位の実現と低消費電力化の両方を満足させることができる。
【００４０】
また、本発明の表示装置の駆動方法においては、上記画面を１回走査する走査期間を複数回連続して設けた後に上記休止期間を設ける動作を、繰り返し行うに際し、休止期間直後の走査期間は、画素の画素電極と対向電極との電位差の極性が、直前の休止期間における上記電位差の極性と反転しており、かつ、次の休止期間に至るまでの走査期間における上記電位差の極性が同じになるように、上記画素電極および／または対向電極の電位を制御することが好ましい。
【００４１】
上記方法によれば、少なくとも、上記画面を１回走査する走査期間を複数回連続して設けた後に上記休止期間を設ける動作を、繰返し行う繰返し周期の中で大きな割合を占めている休止期間だけは、上記電位差の極性が反転することで、上記表示装置を交流駆動することが可能となる。このため、例えば、液晶表示装置のように交流駆動に適した表示装置において、例えば、液晶に直流が印加されることに起因する液晶の信頼性や表示品位の低下を防止することができる。よって、上記の方法によれば、良好な表示品位の実現と低消費電力化の両方を満足させることができる。
【００４２】
本発明の表示装置の駆動方法においては、上記の課題を解決するために、画素がマトリクス状に配置されてなる画面の各ラインを、各々のラインにおける画素の走査信号線に走査信号を印加することにより選択して上記画面を所定の書き換え周期で走査し、選択されたラインの画素にデータ信号線からデータ信号を供給して表示を行う表示装置の駆動方法であって、表示すべき画像に変化がないときの書き換え周期を所定の書き換え周期よりも長くし、表示すべき画像が変化したときのみ、所定の書き換え周期にて上記画面を走査することを特徴としている。
【００４３】
上記の方法によれば、上記表示装置の駆動を、表示すべき画像に変化がないときと表示すべき画像が変化したときとで切り替えることにより、静止画や動画など表示画像の種類ごとに最適な応答性、表示品位、低消費電力化を図ることができる。例えば、上記の方法によれば、表示すべき画像に変化がないときには、走査期間でその書き換え周期を通常よりも長く、つまり、所定の書き換え周期よりも長くすることにより、画面を書き換える回数、すなわち、データ信号を出力している時間をより一層短くすることができ、静止画のように動きのない表示（表示すべき画像に変化がない表示）や動画でも画像の動きの少ない表示などに対しては、画面を書き換えることによる消費電力を、明るさ、コントラスト、応答速度、階調性などの基本的な表示品位を保ったまま削減することができる。
【００４４】
一方、表示すべき画像が変化したときは、上記画面を通常周期の書き換え周期、つまり、所定の書き換え周期にて走査することで、画像変化への表示の追随性を向上させることができ、画像変化を速やかに行うことができる。
【００４５】
この場合、上記表示装置の駆動方法においては、表示すべき画像が変化したときのみ、所定の書き換え周期にて上記画面を複数回連続して走査することが好ましい。
【００４６】
表示すべき画像が変化したときに上記画面を所定の書き換え周期にて複数回連続して走査することで、画素電極に十分な電圧を印加し、画素への充電を十分に行うことができると共に、画素電極に、所望の輝度を得るための所定の電圧まで速やかに電圧を印加することができ、画像変化を速やかに行うことができる。
【００４７】
このため、表示すべき画像に変化がないときは、通常（所定）の書き換え周期よりも長い書き換え周期で画面の走査を行い、表示が切り替わったとき、すなわち、表示すべき画像が変化したときのみ通常（所定）の書き換え周期で、少なくとも１回、好適には複数回、画面の走査を繰り返すことで、十分な表示の応答速度を確保し、明るさ、コントラスト、応答速度、階調性などの基本的な表示品位を満たした状態で、容易に十分な低消費電力化を図ることができる。
【００４８】
本発明の表示装置は、上記の課題を解決するために、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置において、当該表示装置の駆動を制御する制御手段を備え、上記制御手段は、上記画面を複数回走査した後、上記画面を１回走査する期間よりも長く全走査信号線を非走査状態とすることを特徴としている。
【００４９】
上記の構成によれば、上記制御手段が、上記画面を複数回走査した後、上記画面を１回走査する期間よりも長く全走査信号線を非走査状態とすることで、画面を書き換える回数、すなわち、データ信号を出力している時間を短くすることができる。従って、例えばアクティブマトリクス駆動方式の液晶表示装置など、データ信号を出力している時間、言い換えればデータ信号の供給周波数に正比例して増加するデータ信号線ドライバ（ソースドライバ）の消費電力、画素を充電する電力を容易に削減することができる。
【００５０】
また、上記の構成によれば、上記制御手段が、上記画面を複数回走査した後、上記画面を１回走査する期間よりも長く全走査信号線を非走査状態とすることで、全走査信号線を非走査状態とするに先立って、例えば表示の応答が完了するまで、繰り返し書き込みを行うことができる。このため、上記画面を複数回走査する期間（走査期間）と上記画面を１回走査する期間よりも長く全走査信号線を非走査状態とする期間（休止期間）とからなる繰り返し間隔よりも短い期間で応答を完了させることができる。
【００５１】
このため、上記の構成によれば、十分な表示の応答速度を確保し、明るさ、コントラスト、応答速度、階調性などの基本的な表示品位を満たした状態で、容易に十分な低消費電力化を図ることができる表示装置を提供することができる。
【００５２】
また、上記表示装置においては、上記制御手段は、上記画面を１回走査する走査期間を複数回連続して設けた後、上記画面を１回走査する走査期間よりも長く全走査信号線を非走査状態とすることが好ましい。
【００５３】
上記表示装置が例えば液晶表示装置である場合等、垂直帰線期間を必要としない表示装置においては、複数回連続して走査を行なうことが可能である。このため、各走査期間の間には垂直帰線期間の他、短い非走査期間を設けることもできるが、十分な表示の応答速度を確保するためには、走査期間を連続して設けることが可能である表示装置においては、走査期間を連続して複数回設けることが好ましい。
【００５４】
本発明の表示装置は、上記の課題を解決するために、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置において、当該表示装置の駆動を制御する制御手段と、表示すべき画像の変化を検出する検出手段とを備え、上記制御手段は、上記検出手段の検出結果に応じて、表示すべき画像に変化がないときには、上記画面を１回走査した後、上記画面を１回走査する期間よりも長く全走査信号線を非走査状態とし、表示すべき画像が変化したときは、上記画面を複数回連続して走査した後、上記画面を１回走査する期間よりも長く全走査信号線を非走査状態にすることを特徴としている。
【００５５】
上記の構成によれば、当該表示装置が上記制御手段と検出手段とを備え、上記制御手段が上記検出手段の検出結果に応じて表示動作、すなわち、当該表示装置の駆動を、表示すべき画像に変化がないときと表示すべき画像が変化したときとで切り替えることにより、静止画のように動きのない表示（表示すべき画像に変化がない表示）や動画でも画像の動きの少ない表示などに対しては、画面を書き換えることによる消費電力を、明るさ、コントラスト、応答速度、階調性などの基本的な表示品位を保ったまま削減することができる。
【００５６】
つまり、上記画面を１回走査する期間よりも長く全走査信号線を非走査状態とすることで、画面を書き換える回数、すなわち、データ信号を出力している時間を短くすることができる。従って、上記画面を１回走査する期間よりも長く全走査信号線を非走査状態とすることで、例えばアクティブマトリクス駆動方式の液晶表示装置など、データ信号を出力している時間、言い換えればデータ信号の供給周波数に正比例して増加するデータ信号線ドライバ（ソースドライバ）の消費電力、画素を充電する電力を容易に削減することができる。
【００５７】
しかしながら、選択されたラインの画素にデータ信号線からデータ信号を供給したとき、表示すべき画像の変化に際し、１回の画面の書き換えでは、画素電極は、所望の輝度を得るための所定の電圧まで印加されず、所定の電圧が印加されるまでには複数回の書き換えを必要とする。
【００５８】
そこで、上記の構成によれば、表示すべき画像が変化したときは、上記画面を複数回走査することで、例えば表示の応答が完了するまで繰り返し書き込みを行うことができる。このため、上記画面を複数回走査する期間（走査期間）と上記画面を１回走査する期間よりも長く全走査信号線を非走査状態とする期間（休止期間）とからなる繰り返し間隔よりも短い期間で応答を完了させることができる。
【００５９】
従って、上記の構成によれば、十分な表示の応答速度を確保し、明るさ、コントラスト、応答速度、階調性などの基本的な表示品位を満たした状態で、画面を書き換える回数、すなわち、データ信号を出力している時間をより一層短くすることができ、より一層低消費電力化を図ることができる表示装置を提供することができる。
【００６０】
また、上記表示装置においては、上記制御手段は、表示すべき画像が変化したとき、上記画面を１回走査する走査期間を複数回連続して設けた後、上記画面を１回走査する走査期間よりも長く全走査信号線を非走査状態とすることが好ましい。
【００６１】
上記表示装置が例えば液晶表示装置である場合等、垂直帰線期間を必要としない表示装置においては、複数回連続して走査を行なうことが可能である。このため、各走査期間の間には垂直帰線期間の他、短い非走査期間を設けることもできるが、十分な表示の応答速度を確保するためには、走査期間を連続して設けることが可能である表示装置においては、表示すべき画像が変化したときには、走査期間を連続して複数回設けることが好ましい。
【００６２】
本発明の液晶表示装置においては、上記制御手段は、上記画面を１回走査する走査期間を複数回連続して設けた後に上記画面を１回走査する走査期間よりも長く全走査信号線を非走査状態とする休止期間を設ける動作を、繰り返し行うに際し、上記走査期間を奇数回連続して設けた後、上記休止期間を設けると共に、走査期間ごとに、画素の画素電極と対向電極との電位差の極性が、反転するように、上記画素電極および／または対向電極の電位を制御することが好ましい。
また、本発明の液晶表示装置においては、上記制御手段は、上記画面を１回走査する走査期間を複数回設けた後に上記画面を１回走査する走査期間よりも長く全走査信号線を非走査状態とする休止期間を設ける動作を、繰り返し行うに際し、上記走査期間を偶数回連続して設けた後、上記休止期間を設けると共に、休止期間直後の走査期間は、画素の画素電極と対向電極との電位差の極性が、直前の休止期間における上記電位差の極性と同じであり、かつ、次の休止期間に至るまでの走査期間における上記電位差の極性が走査期間ごとに反転するように、上記画素電極および／または対向電極の電位を制御することが好ましい。
【００６３】
上記の各構成によれば、一回の走査ごとに上記電位差の極性が反転する。また、上記の各構成によれば、休止期間中における上記電位差の極性を休止期間ごとに反転させることができる。このため、上記の構成によれば、交流駆動が可能であり、例えば液晶表示装置のように交流駆動に適した表示装置において、例えば、液晶に直流が印加された場合に液晶の信頼性が低下し、表示品位が低下するようなことがない。よって上記の構成によれば、良好な表示品位の実現と低消費電力化の両方を実現する、交流駆動可能な表示装置を提供することができる。
【００６４】
また、本発明の液晶表示装置においては、上記制御手段は、上記画面を１回走査する走査期間を複数回連続して設けた後に上記画面を１回走査する走査期間よりも長く全走査信号線を非走査状態とする休止期間を設ける動作を、繰り返し行うに際し、休止期間直後の走査期間は、画素の画素電極と対向電極との電位差の極性が、直前の休止期間における上記電位差の極性と反転しており、かつ、次の休止期間に至るまでの走査期間における上記電位差の極性が同じになるように、上記画素電極および／または対向電極の電位を制御することが好ましい。
【００６５】
上記構成によれば、少なくとも、上記画面を１回走査する走査期間を複数回連続して設けた後に上記休止期間を設ける動作を、繰り返し行う繰返し周期の中で大きな割合を占めている休止期間だけは、上記電位差の極性が反転することで、交流駆動が可能となる。このため、例えば液晶表示装置のように交流駆動に適した表示装置において、例えば、液晶に直流が印加された場合に液晶の信頼性が低下し、表示品位が低下するようなことがない。よって上記の構成によれば、良好な表示品位の実現と低消費電力化の両方を実現する、交流駆動可能な表示装置を提供することができる。
【００６６】
本発明の表示装置は、上記の課題を解決するために、画素がマトリクス状に配置されてなる画面の各ラインを、各々のラインにおける画素の走査信号線に走査信号を印加することにより選択して上記画面を所定の書き換え周期で走査し、選択されたラインの画素にデータ信号線からデータ信号を供給して表示を行う表示装置において、当該表示装置の駆動を制御する制御手段と、表示すべき画像の変化を検出する検出手段とを備え、上記制御手段は、表示すべき画像に変化がないときの書き換え周期が所定の書き換え周期よりも長く、表示すべき画像が変化したときのみ、所定の書き換え周期にて上記画面を走査するように、上記検出手段の検出結果に応じて上記走査信号線への走査信号の印加を制御することを特徴としている。
【００６７】
上記の構成によれば、当該表示装置が上記制御手段と検出手段とを備え、上記制御手段が上記検出手段の検出結果に応じて表示動作、すなわち、当該表示装置の駆動を、表示すべき画像に変化がないときと表示すべき画像が変化したときとで切り替えることにより、静止画のように動きのない表示（表示すべき画像に変化がない表示）や動画でも画像の動きの少ない表示などに対しては、画面を書き換えることによる消費電力を、明るさ、コントラスト、応答速度、階調性などの基本的な表示品位を保ったまま削減することができる。
【００６８】
つまり、上記制御手段が、表示すべき画像に変化がないときの書き換え周期が所定の書き換え周期よりも長く、表示すべき画像が変化したときのみ、所定の書き換え周期にて上記画面を走査するように、上記検出手段の検出結果に応じて上記走査信号線への走査信号の印加を制御することで、表示すべき画像に変化がないときには、画面を書き換える回数、すなわち、データ信号を出力している時間を短くすることができる。この結果、例えばアクティブマトリクス駆動方式の液晶表示装置など、データ信号を出力している時間、言い換えればデータ信号の供給周波数に正比例して増加するデータ信号線ドライバ（ソースドライバ）の消費電力、画素を充電する電力を容易に削減することができる。
【００６９】
そして、表示すべき画像が変化したときは、上記画面を所定の書き換え周期にて走査することで、画像変化への表示の追随性を向上させることができ、画像変化を速やかに行うことができる。
【００７０】
この場合、上記表示装置においては、上記制御手段は、表示すべき画像が変化したときのみ、所定の書き換え周期にて上記画面を複数回連続して走査するように、上記検出手段の検出結果に応じて上記走査信号線への走査信号の印加を制御することが好ましい。
【００７１】
表示すべき画像が変化したときに上記画面を所定の書き換え周期にて複数回連続して走査することで、画素電極に十分な電圧を印加し、画素への充電を十分に行うことができると共に、画素電極に、所望の輝度を得るための所定の電圧まで速やかに電圧を印加することができ、画像変化を速やかに行うことができる。
【００７２】
このため、表示すべき画像に変化がないときは通常（所定）の書き換え周期よりも長い書き換え周期で画面の走査を行い、表示が切り替わったとき、すなわち、表示すべき画像が変化したときのみ通常（所定）の書き換え周期で、少なくとも１回、好適には複数回、画面の走査を繰り返すことで、十分な表示の応答速度を確保し、明るさ、コントラスト、応答速度、階調性などの基本的な表示品位を満たした状態で、容易に十分な低消費電力化を図ることができる。
【００７３】
従って、上記の構成によれば、十分な表示の応答速度を確保し、明るさ、コントラスト、応答速度、階調性などの基本的な表示品位を満たした状態で、容易に十分な低消費電力化を図ることができる表示装置を提供することができる。
【００７４】
【発明の実施の形態】
本発明にかかる一実施の形態について、図１ないし図１４並びに図１８ないし図２１に基づいて説明すれば以下の通りである。
【００７５】
なお、以下の実施の形態では、本発明にかかる表示装置の駆動方法および該方法を実施するために用いる表示装置として、反射型のアクティブマトリクス型液晶表示装置を例に挙げて説明するが、本発明はこれに限定されるものではない。
【００７６】
図２に示すように、本実施の形態にかかる表示装置としての液晶表示装置１は、反射型のアクティブマトリクス型液晶表示装置であり、液晶パネル２、ゲートドライバ３、ソースドライバ４、コントロールＩＣ５、および画像メモリ６を備えた構成を有している。
【００７７】
上記液晶パネル２は、マトリクス状に配置された画素からなる画面と、上記画面を選択して走査する複数の走査信号線と、選択されたラインの画素にデータ信号を供給する複数のデータ信号線とを備えている。走査信号線とデータ信号線とは直交している。上記走査信号線は、上記画面を例えば線順次に選択して走査する。
【００７８】
ここで、図３および図４を用いて、上記液晶パネル２の具体的な構成例について説明する。図３に液晶パネル２の断面図を示す。図３は、図４のＡ−Ａ線断面図に相当する。図４は、上記液晶パネル２の構成を示す平面透視図である。図４は、図３に示した液晶層１３よりも下層の構成を示す平面図に相当する。
【００７９】
図３に示すように、液晶パネル２は反射型のアクティブマトリクス型液晶パネルであり、２枚のガラス基板１１・１２にネマチック液晶などの液晶層１３が挟持され、ガラス基板１２上にアクティブ素子としてのＴＦＴ１４…が形成された基本構造を有している。なお、本実施の形態では、アクティブ素子としてＴＦＴを用いるが、ＭＩＭ(Metal Insulator Metal) やＴＦＴ以外のＦＥＴ(Field Effect Transistor) を用いることもできる。ガラス基板１１の上面には、入射光の状態を制御するための位相差板１５、偏光板１６、および反射防止膜１７がこの順で設けられている。ガラス基板１１の下面には、ＲＢＧのカラーフィルタ１８、および対向電極としての透明共通電極１９がこの順で設けられている。上記液晶パネル２はカラーフィルタ１８によりカラー表示が可能となっている。
【００８０】
各ＴＦＴ１４においては、ガラス基板１２上に設けられた走査信号線３１（図４参照）の一部をゲート電極２０とし、その上にゲート絶縁膜２１が形成されている。ゲート絶縁膜２１を挟んでゲート電極２０と対向する位置にｉ型アモルファスシリコン層２２が設けられ、ｉ型アモルファスシリコン層２２のチャネル領域を挟むようにｎ＋ 型アモルファスシリコン層２３が２箇所形成されている。一方のｎ＋ 型アモルファスシリコン層２３の上面にはデータ信号線の一部をなすデータ電極２４が形成され、他方のｎ＋ 型アモルファスシリコン層２３の上面からゲート絶縁膜２１の平坦部上面にわたってドレイン電極２５が引き出されて形成されている。ドレイン電極２５の引き出し開始箇所と反対側の一端は、図４に示すように補助容量配線３３と対向する矩形の補助容量用電極パッド２７ａと接続されている。ＴＦＴ１４…の上面には層間絶縁膜２６が形成されており、層間絶縁膜２６の上面には反射電極２７ｂ…が設けられている。反射電極２７ｂ…は周囲光を用いて反射型表示を行うための反射部材である。反射電極２７ｂ…により反射光の方向を制御するために、層間絶縁膜２６の表面には微細な凹凸が形成されている。
【００８１】
さらに、各反射電極２７ｂは、層間絶縁膜２６に設けたコンタクトホール２８を通じてドレイン電極２５と導通している。すなわち、データ電極２４から印加されてＴＦＴ１４により制御される電圧は、ドレイン電極２５からコンタクトホール２８を介して反射電極２７ｂに印加され、反射電極２７ｂと透明共通電極１９との間の電圧によって液晶層１３が駆動される。すなわち、補助容量用電極パッド２７ａと反射電極２７ｂとは互いに導通し、また反射電極２７ｂと透明共通電極１９との間に液晶が介在している。このように、補助容量用電極パッド２７ａと反射電極２７ｂとは画素電極２７を構成している。透過型の液晶表示装置の場合は、上記各電極に相当するように配置された透明電極が画素電極となる。
【００８２】
さらに液晶パネル２には、図４に示すように、ＴＦＴ１４のゲート電極２０に走査信号を供給する走査信号線３１…と、ＴＦＴ１４のデータ電極２４にデータ信号を供給するデータ信号線３２…とがガラス基板１２上に直交するように設けられている。そして、補助容量用電極パッド２７ａ…のそれぞれとの間に画素の補助容量を形成する補助容量電極としての補助容量配線３３…が設けられている。補助容量配線３３…は走査信号線３１…以外の位置で、一部がゲート絶縁膜２１と挟んで補助容量用電極パッド２７ａ…と対をなすようにガラス基板１２上に走査信号線３１…と平行に設けられている。この場合に限らず、補助容量配線３３…は走査信号線３１…の位置を避けて設けられていればよい。なお、図４では補助容量用電極パッド２７ａ…と補助容量配線３３…との位置関係が明確になるように反射電極２７ｂ…の図示を一部省略してある。なお、図３における層間絶縁膜２６の表面の凹凸は図４では図示していない。
【００８３】
また、図２に示すように、ゲートドライバ３は、走査信号線ドライバであり、液晶パネル２の各走査信号線に、選択期間と非選択期間とのそれぞれに応じた電圧を出力する。ソースドライバ４はデータ信号線ドライバであり、液晶パネル２の各データ信号線３２にデータ信号を出力し、選択されている走査信号線３１上にある画素のそれぞれに画像データを供給する。
【００８４】
コントロールＩＣ５は、コンピュータなどの内部にある画像メモリ６に蓄えられている画像データを受け取り、ゲートドライバ３にゲートスタートパルス信号ＧＳＰおよびゲートクロック信号ＧＣＫを配信し、ソースドライバ４にＲＧＢの階調データ、ソーススタートパルス信号ＳＰ、ソースラッチストローブ信号ＳＬＳ、およびソースクロック信号ＳＣＫを配信する。これら全ての信号は、同期している。画像データ蓄積手段としての画像メモリ６に蓄積されている画像データは、データ信号の基になるデータである。また、コントロールＩＣ５は後述する本実施の形態にかかる表示装置の駆動方法を実行する制御手段としての機能を有している。
【００８５】
ゲートドライバ３は、コントロールＩＣ５から受け取ったゲートスタートパルス信号ＧＳＰを合図に液晶パネル２の走査を開始し、ゲートクロック信号ＧＣＫに従って、各走査信号線に順次選択電圧を印加していく。ソースドライバ４は、コントロールＩＣ５から受け取ったソーススタートパルス信号ＳＰを基に、送られてきた各画素の階調データをソースクロック信号ＳＣＫに従ってレジスタに蓄え、次のソースラッチストローブ信号ＳＬＳに従って液晶パネル２の各データ信号線に階調データを書き込む。
【００８６】
また、コントロールＩＣ５の内部には、ゲートスタートパルス信号ＧＳＰのパルス間隔の設定を行うＧＳＰ変換回路７が備えられている。ゲートスタートパルス信号ＧＳＰのパルス間隔は、表示のフレーム周波数が通常の６０Ｈｚである場合は約１６．７ｍｓｅｃである。ＧＳＰ変換回路７は、例えばこのゲートスタートパルス信号ＧＳＰのパルス間隔を１６７ｍｓｅｃと長くすることができる。
【００８７】
ここで、上記画面を１回走査する期間を走査期間Ｔ１とし、この走査期間Ｔ１が通常のまま、すなわち、約１６．７ｍｓｅｃであるとすると、上記のパルス間隔のうち、走査期間Ｔ１を除く、約９／１０が、全走査線を非走査状態とする非走査期間となる。
【００８８】
走査期間Ｔ１と非走査期間とは、静止画や動画など表示したい画像における動きの程度に応じて適宜設定すればよく、画像の内容に応じて複数の非走査期間を設定することができるようになっている。すなわち、ＧＳＰ変換回路７は、走査期間および非走査期間を所望の設定に変えることで、パルス間隔の設定を行うようになっている。
【００８９】
なお、非走査期間は、例えば、コントロールＩＣ５内に、画像メモリ６から一定の間隔で送られてくる画像データが変化しているかまたは静止画のように変化していないかを検出する検出回路を設けることにより上述したように画像データに応じて非走査期間の設定が変更されるようになっていてもよいし、ＧＳＰ変換回路７に外部から複数の非走査期間設定信号が入力されるようになっていてもよい。また、ＧＳＰ変換回路７に非走査期間調整用のボリュームや選択用のスイッチなどが備えられていてもよい。もちろん使用者が設定しやすいように液晶表示装置１の筐体外周面に非走査期間調整用のボリュームや選択用のスイッチなどが備えられていてもよい。また、図２ではＧＳＰ変換回路７がコントロールＩＣ５の内部に組み込まれている構成であるが、これに限らず、ＧＳＰ変換回路７は、コントロールＩＣ５から独立して設けられていてもよい。
【００９０】
このように上記ＧＳＰ変換回路７では、走査期間および非走査期間の設定を変更することが可能であり、上記した例に示したように、上記ＧＳＰ変換回路７では、走査期間Ｔ１が終了した後に再びゲートスタートパルス信号ＧＳＰがゲートドライバ３に入力されるまでの非走査期間が、走査期間Ｔ１より長くなるように設定することができる。この走査期間Ｔ１より長い非走査期間を休止期間Ｔ２と称する。
【００９１】
ここで、比較のために、１画面の走査期間Ｔ１が通常のままであるとしたときに、非走査期間として休止期間Ｔ２を設定した場合の、走査信号線Ｇ１ 〜Ｇｎに供給する走査信号の波形を図５に示す。同図においてｎ＝４としたとき、従来の図１６に示す走査信号の波形と比較して、非走査期間が垂直帰線期間に代わって走査期間Ｔ１より長い休止期間Ｔ２に設定され、フレームやフィールドを表す垂直周期が長くなっていることが判る。上記ＧＳＰ変換回路７で非走査期間として休止期間Ｔ２を設定すると、１垂直期間は走査期間Ｔ１と休止期間Ｔ２との和になる。上記ＧＳＰ変換回路７では、前記したように画像の内容に応じて複数の非走査期間（走査期間Ｔ）を設定することができるようになっており、本実施の形態では、非走査期間（走査期間Ｔ）の少なくとも１つは休止期間Ｔ２となっている。
【００９２】
このように休止期間Ｔ２を設けることにより、画面を書き換える回数、すなわちソースドライバ４から出力するデータ信号の供給周波数を減少させることができるので、画素を充電する電力を削減することができる。従って、液晶表示装置１が明るさ、コントラスト、応答速度、階調性などの基本的な表示品位を確保することのできるアクティブマトリクス型の液晶表示装置である場合に、非走査期間として休止期間Ｔ２を設定すれば、データ信号の供給周波数に正比例して増加するデータ信号線ドライバの消費電力を、上記表示品位を犠牲にすることなく容易にかつ十分に削減することができる。
【００９３】
従って、静止画のように画像に動きのない表示や、動画でも画像に動きの少ない表示などに対しては、このように非走査期間を長い休止期間Ｔ２に設定することで、画面を書き換えることによる消費電力を、基本的な表示品位を保ったまま削減することができる。
【００９４】
但し、図５に示すように走査期間Ｔ１と、該走査期間Ｔ１よりも長い全走査信号線３１…を非走査状態とする休止期間Ｔ２とを垂直周期ごとに繰り返すと、画面の書き換え周期が長くなる。このため、例えば液晶のように、応答速度が遅く、印加されている電圧によって容量が変化する場合、常に画像が変化している動画や、静止画から動画に変化する場合等、表示が切り替わる場合、画面の書き換え周期以上に表示の応答速度が遅くなり、表示品位が低下するという問題が発生する。
【００９５】
そこで、このような問題が発生しない表示装置の駆動方法について、上記液晶表示装置１の液晶パネル２において白表示状態から黒表示状態へと表示が変わる場合を例に挙げて説明する。
【００９６】
図７（ａ）・（ｂ）は上記液晶表示装置１の液晶パネル２における１画素（画素部）の等価回路を示す回路図である。該液晶パネル２は、液晶容量ＣＬＣが変化することにより表示が変化する。ここで、図７（ａ）は白表示状態を示し、（ｂ）は黒表示状態を示す。
【００９７】
上記液晶パネル２において、図７（ａ）・（ｂ）に示すように例えば白表示から黒表示へと表示が変化する場合、まず、１回目の走査期間Ｔ１において、走査信号線３１に選択電圧を印加してＴＦＴ１４をＯＮ状態にする。これにより、データ信号線３２から液晶容量ＣＬＣと補助容量ＣＣＳとに黒表示のための電圧が印加される。このとき、液晶容量ＣＬＣは、印加される電圧により、初期の容量（例えば０．１ｐＦ）から変化する。
【００９８】
次に、走査信号線３１に非選択電圧を印加してＴＦＴ１４をＯＦＦ状態とすることにより、液晶容量ＣＬＣと補助容量ＣＣＳを保持する。しかしながら、液晶は応答速度が遅く、液晶容量ＣＬＣが変化し終わるには、数十ｍｓｅｃの時間がかかる。また、液晶容量ＣＬＣは印加されている電圧によって変化する。このため、ＴＦＴ１４がＯＦＦ状態になった後もゆっくり液晶容量ＣＬＣは変化する。
【００９９】
このようにＴＦＴ１４がＯＦＦ状態で液晶容量ＣＬＣが変化した場合、画素電極２７の電位は、図１並びに図６に示すように、ＴＦＴ１４をＯＦＦ状態にした後に変化した容量分だけ変化する。このため、画素電極２７の電位は、１回の書き換えでは所定の電圧まで印加されない。
【０１００】
つまり、ＴＦＴ１４をＯＮ状態にすることによって一度のＯＮで充電される電荷Ｑと、容量Ｃとそれにかかる電圧Ｖとの間には、Ｑ＝ＣＶの関係が成り立っている。このため、図７（ｂ）に示すように、容量Ｃ、すなわち液晶容量ＣＬＣが大きくなると、電荷Ｑは保存されて一定であるため、液晶にかかる電圧Ｖは小さくなる。それゆえ、表示を行うための所望の輝度には達しない。
【０１０１】
この後、２回目の走査期間Ｔ１においても同様に、データ信号線３２から液晶容量ＣＬＣと補助容量ＣＣＳとに黒表示のための電圧が印加され、液晶容量ＣＬＣが変化する。しかしながら、２回目の走査期間Ｔ１においては、すでにある程度液晶容量ＣＬＣが変化しているため、変化量は少なくなり、ＴＦＴ１４がＯＦＦ状態になった後の画素電極２７の電位の変化量も少なくなる。
【０１０２】
３回目の走査期間Ｔ１においては、ほぼ液晶容量ＣＬＣの変化は終わっているため、ＴＦＴ１４がＯＦＦ状態になった後の画素電極２７の電位の変化もほぼなく、この時点で所定の電圧が印加され、所定の表示を行うことができる。
【０１０３】
このように、表示が切り替わる場合、１回の画面の書き換えでは、画素電極２７は、明るさ、コントラスト、応答速度、階調性などの基本的な表示品位を満足する表示を行なうための所望の輝度を得るための所定の電圧まで印加されず、所定の電圧が印加されるまでには複数回の書き換えを必要とする。通常、３回程度の書き換えを繰り返すことによって、所定の電圧（例えば０．３ｐＦ）が印加され、所定の表示（ここでは黒表示）が行われる。
【０１０４】
画面の書き換え周期が例えば６０Ｈｚの場合、３回の書き換えで所望の電圧まで印加することができるとすると、連続して書き換えを行えば、約５０ｍｓｅｃで所望の電圧まで印加されることとなる。しかしながら、消費電力を削減するために、図６に示すように走査期間Ｔ１と休止期間Ｔ２とを垂直周期ごとに繰り返し、画面の書き換え周期を例えば１／１０の６Ｈｚまで長くした場合には、所定の電圧まで印加されるまでには約５００ｍｓｅｃかかることになる。このため、画面の書き換え周期以上に表示の応答速度が遅くなり、表示品位が低下することとなる。
【０１０５】
そこで、本実施の形態にかかる駆動方法では、コントロールＩＣ５の制御により、図１に示すように走査期間Ｔ１を複数回設けた後、休止期間Ｔ２を設ける。例えば、走査期間Ｔ１を連続して３回繰り返し、ＧＳＰ変換回路７により１回の走査を通常の６０Ｈｚ相当の時間に設定すると、上記の駆動方法によれば、それよりも長い休止期間が存在するために、走査期間Ｔ１と休止期間Ｔ２との繰返し周期は１５Ｈｚより低い周波数となる。この場合、上記の駆動方法によれば、３回連続で走査を行なうため、約５０ｍｓｅｃで画素電極２７は所定の電圧まで印加され、複数回の走査期間Ｔ１と、複数回の走査期間Ｔ１に続いて設けられる休止期間Ｔ２との繰り返し間隔よりも短い期間で液晶を応答させることができる。
【０１０６】
このように、表示装置として液晶表示装置を用いた場合、垂直帰線期間を必要としないことから、複数回連続して走査を行なうことが可能である。各走査期間Ｔ１の間には垂直帰線期間の他、短い非走査期間を設けることもできるが、十分な表示の応答速度を確保するためには、走査期間Ｔ１を連続して設けることが可能である表示装置においては、走査期間Ｔ１を連続（つまり、走査期間Ｔ１と走査期間Ｔ１との間に非走査期間を設けることなく）して複数回設けることが好ましい。
【０１０７】
なお、上記走査期間Ｔ１に相当するゲートスタートパルス信号ＧＳＰの回数、すなわち、走査期間Ｔ１の繰り返し回数は、使用する液晶材料の応答性能、および補助容量ＣＣＳの大きさによって適宜設定すればよい。使用する液晶材料の応答性能が速い場合にはパルス間隔の回数を少なくし、遅い場合にはパルス間隔の回数を多くすればよい。また、使用する液晶材料の応答性能が遅い場合にはそれぞれの走査期間Ｔ１の間に短い休止期間Ｔ２または後述する停止期間を設けてもよい。
【０１０８】
上記走査期間Ｔ１に相当するゲートスタートパルス信号ＧＳＰのパルス間隔の回数は、画素電極２７が、明るさ、コントラスト、応答速度、階調性などの基本的な表示品位を満足する表示を行なうための所望の輝度を得るための所定の電圧まで印加される回数に設定することが好適である。
【０１０９】
このように、上記の駆動方法によれば、上記画面を複数回走査することで、例えば表示の応答が完了するまで繰り返し書き込みを行うことができる。このため、複数回の走査期間Ｔ１と休止期間Ｔ２とからなる繰り返し間隔よりも短い期間で応答を完了させることができる。
【０１１０】
従って、上記の駆動方法によれば、上記画面を１回走査する期間よりも長く全走査信号線３１…を非走査状態とする休止期間Ｔ２を、上記走査期間Ｔ１を複数回設けた後に設けることで、休止期間Ｔ２を設けても、十分な表示の応答速度を確保し、明るさ、コントラスト、応答速度、階調性などの基本的な表示品位を満たすことができる。
【０１１１】
また、上記の駆動方法においては、休止期間Ｔ２を設けることで、画面を書き換える回数、すなわち、データ信号を出力している時間を短くすることができる。このため、データ信号を出力している時間、言い換えればデータ信号の供給周波数に正比例して増加するデータ信号線ドライバであるソースドライバ４の消費電力、画素を充電する電力を容易に削減することができる。
【０１１２】
このため、上記画面を複数回走査した後、つまり、１画面を書き換える走査を複数回行った後で上記休止期間Ｔ２を設けることで、十分な表示の応答速度を確保し、明るさ、コントラスト、応答速度、階調性などの基本的な表示品位を満たした状態で、容易に十分な低消費電力化を図ることができる。
【０１１３】
上記走査期間Ｔ１に相当するゲートスタートパルス信号ＧＳＰのパルス間隔は、前記したように表示のフレーム周波数が通常の６０Ｈｚである場合は約１６．７ｍｓｅｃである。ＧＳＰ変換回路７は、例えばこのゲートスタートパルス信号ＧＳＰのパルス間隔を約１６．７ｍｓｅｃのパルス間隔で３回連続して繰り返し出力し、この３回のゲートスタートパルス信号ＧＳＰの出力と休止期間Ｔ２との繰り返し間隔を１６７ｍｓｅｃとすると、上記繰り返し間隔の約７／１０を、全走査信号線３１…を非走査状態とする休止期間Ｔ２に設定することができる。
【０１１４】
このように、ＧＳＰ変換回路７では、走査期間Ｔ１を複数回繰り返した後に、非走査期間のうち休止期間Ｔ２を設けることができる。このときの走査信号波形は図１に示した通りである。
【０１１５】
上記走査期間Ｔ１と非走査期間とは、静止画や動画など表示したい画像における動きの程度に応じて適宜設定すればよく、ＧＳＰ変換回路７では画像の内容に応じて複数の非走査期間を設定することができるようになっている。そして、非走査期間の少なくとも１つは休止期間Ｔ２となっている。
【０１１６】
また、本実施の形態においては、上記休止期間Ｔ２を設けるだけでも、走査を行なわない分、省電力化を図ることができるが、上記休止期間Ｔ２中に、表示に無関係な（不要な）回路（例えばソースドライバ４のアナログ回路等）の動作を停止する停止期間を設けることにより、さらに省電力化を図ることができる。なお、上記休止期間Ｔ２中に、停止期間を設けるとは、休止期間Ｔ２の全部もしくは一部を停止期間とすることを意味する。つまり、停止期間であれば必ず休止期間Ｔ２となる。
【０１１７】
つまり、ゲートドライバ３およびソースドライバ４の内部にはロジック回路があり、それぞれが内部のトランジスタを動作させるために電力を消費する。このため、これらの消費電力はトランジスタが動作する回数に比例し、クロック周波数に比例することとなる。本実施の形態では、休止期間Ｔ２には全走査信号線３１…を非走査状態とするので、ゲートクロック信号ＧＣＫ、ソーススタートパルス信号ＳＰ、ソースクロック信号ＳＣＫなどのゲートスタートパルス信号ＧＳＰ以外の信号を、ゲートドライバ３およびソースドライバ４に入力しないことにより、ゲートドライバ３およびソースドライバ４の内部にあるロジック回路を動作させる必要がなくなり、それだけ消費電力を削減することができる。
【０１１８】
また、ソースドライバ４がデジタルのデータ信号を扱うデジタルドライバである場合には、ソースドライバ４の内部には階調発生回路やバッファなどの定常的に電流が流れるアナログ回路が存在する。また、ソースドライバ４がアナログのデータ信号を扱うアナログドライバである場合には、アナログ回路としてサンプリングホールド回路とバッファとが存在する。さらに、コントロールＩＣ５の内部にアナログ回路が存在している場合もある。
【０１１９】
アナログ回路の消費電力は駆動周波数に依存しないので、ゲートドライバ３およびソースドライバ４の内部にあるロジック回路の動作を停止させただけでは上記消費電力は削減することができない。そこで、休止期間Ｔ２中にこれらのアナログ回路を停止させ、アナログ回路を電源から切り離すようにすれば、アナログ回路の消費電力を削減し、液晶表示装置１全体の消費電力をさらに低減することができる。なお、液晶表示装置１がアクティブマトリクス型液晶表示装置である場合には、休止期間Ｔ２中にゲートドライバ３から画素に非選択電圧を印加するため、停止させるアナログ回路を、最低限、ゲートドライバ３と関連しないもの、すなわち、休止期間Ｔ２における表示とは無関係なものとすればよい。少なくともソースドライバ４のアナログ回路を停止させることにより、最も消費電力の大きいアナログ回路の動作を停止させることになるので、液晶表示装置１全体の消費電力を効率よく低減することができる。
【０１２０】
また、休止期間Ｔ２では画素にデータを書き込まないので、休止期間Ｔ２に画像メモリ６からの画像データの転送を停止させることにより、休止期間Ｔ２において画像データ転送のための消費電力を削減することができる。画像データの転送の停止に当たっては、例えば前記したように外部からＧＳＰ変換回路７に入力される非走査期間設定信号等に基づいてコントロールＩＣ５から画像メモリ６に画像データの転送の停止を要求する。これにより、転送停止の制御が容易ながら液晶表示装置１全体の消費電力をさらに低減することができる。
【０１２１】
また、画像データを液晶表示装置１に外部から供給する画像データ供給手段が備えられている場合もある。この場合、液晶表示装置１内部に画像メモリ６が設けられていることもあれば、設けられていないこともある。このような条件では、休止期間Ｔ２に画像データ供給手段からの画像データの供給を受け付ける動作を液晶表示装置１に停止させることができる。例えば、非走査期間設定信号に基づいてコントロールＩＣ５の入力部を、画像データの供給側に対してハイインピーダンスとする。これにより、上記入力部での消費電力を削減することができる。このように、休止期間Ｔ２に画像データ供給手段からの画像データの供給を受け付ける動作を液晶表示装置１に停止させることにより、休止期間Ｔ２において画像データ供給を受け付けるための消費電力を削減することができる。従って、液晶表示装置１全体の消費電力をさらに低減することができる。
【０１２２】
次に、休止期間Ｔ２を設定した場合に、画面のチラツキが十分に抑制された高表示品位を達成する方法について説明する。
【０１２３】
まず、休止期間Ｔ２に全データ信号線３２…をソースドライバ４から切り離すなどして、ソースドライバ４に対してハイインピーダンス状態とする。このようにすると、休止期間Ｔ２において各データ信号線３２の電位を一定に保持することができる。従って、液晶表示装置１がデータ信号線３２と接続される画素電極２７を有するような場合において生じる、データ信号線３２と画素電極２７との容量結合に起因した画素電極２７の電位変動などのように、データ信号線３２の電位変動によって生じる各画素のデータ保持状態の変化が抑制され、チラツキが十分に抑制される。これにより、十分な低消費電力化とチラツキが十分に抑制された高表示品位とを両立させることができる。
【０１２４】
また、前述のように、消費電力を削減するためにソースドライバ４のバッファ内部のアナログ回路の動作を停止させる際、バッファがグランド電位になる。すると、バッファと接続されているデータ信号線３２も同時にグランド電位になってしまい、液晶表示装置１がデータ信号線３２と接続される画素電極２７を有するような場合に、容量結合に起因した画素電極２７の電位変動が生じる。従って、全データ信号線３２…をハイインピーダンス状態とした後に、休止期間Ｔ２の表示とは無関係なアナログ回路の動作を停止させるようにする。これにより、アナログ回路の消費電力の削減を行いながら、画素のデータ保持状態の変化を抑制し、よりチラツキが抑制された高表示品位を達成することができる。
【０１２５】
さらに、全データ信号線３２…を、全画素のデータ保持状態の変化が平均して略最小となる電位としてからハイインピーダンス状態とすればなお好ましい。例えば、液晶表示装置１がデータ信号線３２と接続される画素電極２７と、その対向電極との間に液晶が介在する構成であれば、全データ信号線３２…を、対向電極に交流電圧を印加する場合に該交流電圧の振幅中心の電位とし、対向電極に直流電圧を印加する場合に対向電極と同電位とする。この場合、交流駆動で正極性電位の画素と負極性電位の画素電極２７とが混在しても、データ信号線３２と画素電極２７との容量結合による全画素の電荷保持状態の変化、すなわちデータ保持状態の変化が平均して略最小となる。これにより、ラインごとに画素のデータ保持状態が異なる場合でも、画面全体としてデータ保持状態の変化が略最小となり、よりチラツキが抑制された高表示品位を達成することができる。
【０１２６】
以上のように、本実施の形態にかかる表示装置の駆動方法は、画素がマトリクス状に配置されてなる画面の各ラインを、各々のラインにおける画素の走査信号線に走査信号を印加することにより選択して走査、例えば線順次に走査し、選択されたラインの画素にデータ信号線からデータ信号を供給して表示を行う表示装置の駆動方法であって、上記画面を１回走査する期間よりも長く全走査信号線を非走査状態とする休止期間を、上記画面を複数回走査した後で設ける方法である。
【０１２７】
また、本実施の形態にかかる表示装置は、マトリクス状に配置された画素からなる画面と、上記画面を選択して走査する複数の走査信号線と、選択されたラインの画素にデータ信号を供給する複数のデータ信号線とを備え、画素がマトリクス状に配置されてなる画面の各ラインを、各々のラインにおける画素の走査信号線に走査信号を印加することにより選択して上記画面を走査、例えば線順次に走査し、選択されたラインの画素にデータ信号線からデータ信号を供給して表示を行う表示装置において、当該表示装置の駆動を制御する制御手段を備え、上記制御手段は、上記画面を複数回走査した後、上記画面を１回走査する期間よりも長く全走査信号線を非走査状態とする構成である。
【０１２８】
このため、本実施の形態によれば、十分な表示の応答速度を確保し、明るさ、コントラスト、応答速度、階調性などの基本的な表示品位を満たした状態で、容易に十分な低消費電力化を図ることができる。
【０１２９】
以上のように、上記説明においては、上記表示装置の駆動に際し、上記画面を１回走査する期間よりも長く全走査信号線を非走査状態とする休止期間を、上記画面を複数回走査した後で設けることで、十分な表示応答を確保し、基本的な表示品位を満たした状態で低消費電力化を図る構成とした。
【０１３０】
しかし、液晶表示装置のように交流駆動される表示装置において、例えば、上記走査回数を偶数回にすると、図１８に示すように、１回目の走査期間Ｔ１では、液晶に黒表示のためのプラス極性の電圧が印加され、２回目の走査期間Ｔ１では、マイナス極性の電圧が印加され、一回の走査ごとに極性が反転し、その次の休止期間Ｔ２では、マイナス極性の電圧を保持したままとなる。そして休止期間Ｔ２後の１回目の走査期間Ｔ１（つまり、休止期間直後の走査期間Ｔ１）では、液晶がマイナス極性の電圧を保持しているため、プラス極性の電圧が印加され、２回目の走査期間Ｔ１では、マイナス極性の電圧が印加され、やはり１回の走査ごとに極性が反転する。この結果、その次の休止期間Ｔ２では、液晶がマイナス極性の電圧を保持したままとなる。よって、休止期間Ｔ２中に表示装置が保持している電圧はいつもマイナス極性となり、液晶に直流が印加され、液晶の信頼性や表示品質が低下する。
【０１３１】
このように、表示装置として、交流駆動される、交流駆動に適した表示装置を用いる場合、上記休止期間における画素の２つの電極、つまり画素電極と対向電極との電位差の極性(図３および図４に示す上記した液晶表示装置においては液晶層１３に電圧を印加することで液晶層１３を駆動する画素電極２７と対向電極としての透明共通電極１９との電位差の極性)が常に同じ極性になると上記表示装置に直流が印加され、該表示装置の信頼性や表示品位が低下する。
【０１３２】
そこで、上記走査期間Ｔ１を複数回設けた後に上記休止期間Ｔ２を設ける動作を繰り返し行うに際しては、上記休止期間Ｔ２中における画素の２つの電極の電位差の極性が休止期間Ｔ２ごとに反転するように画素電極および／または対向電極の電位を制御することが好ましい。
【０１３３】
本発明において上記休止期間Ｔ２中における画素電極と対向電極との電位差の極性を休止期間Ｔ２ごとに反転させる方法としては、例えば、上記走査期間Ｔ１を複数回設けた後に上記休止期間Ｔ２を設ける動作を、繰り返し行うに際し、（Ｉ）上記走査期間Ｔ１を奇数回設けた後、上記休止期間Ｔ２を設けると共に、走査期間Ｔ１ごとに、画素の画素電極と対向電極との電位差の極性が反転するように、上記画素電極および／または対向電極の電位を制御する方法、（II）上記走査期間Ｔ１を偶数回設けた後、上記休止期間Ｔ２を設けると共に、休止期間Ｔ２直後の走査期間Ｔ１は、画素の画素電極と対向電極との電位差の極性が、直前の休止期間Ｔ２における上記電位差の極性と同じであり、かつ、次の休止期間Ｔ２に至るまでの走査期間Ｔ１における上記電位差の極性が走査期間Ｔ１ごとに反転するように、上記画素電極および／または対向電極の電位を制御する方法、もしくは、(III)休止期間Ｔ２後の走査期間Ｔ１は、画素の画素電極と対向電極との電位差の極性が、直前の休止期間Ｔ２における上記電位差の極性と反転しており、かつ、次の休止期間Ｔ２に至るまでの走査期間Ｔ１における上記電位差の極性が同じになるように、上記画素電極および／または対向電極の電位を制御する方法の３つの方法が挙げられる。
【０１３４】
言い換えれば、上記表示装置においては、例えば、前記した制御手段(例えば図２に示すコントロールＩＣ５)が、（ｉ）上記画面を１回走査する走査期間Ｔ１を複数回設けた後に上記休止期間Ｔ２を設ける動作を、繰り返し行うに際し、上記走査期間Ｔ１を奇数回設けた後、上記休止期間Ｔ２を設けると共に、走査期間Ｔ１ごとに、画素の画素電極と対向電極との電位差の極性が反転するように、上記画素電極および／または対向電極の電位を制御する構成、（ii）上記画面を１回走査する走査期間Ｔ１を複数回設けた後、上記休止期間Ｔ２を設ける動作を、繰り返し行うに際し、上記走査期間Ｔ１を偶数回設けた後、上記休止期間Ｔ２を設けると共に、休止期間Ｔ２直後の走査期間Ｔ１は、画素の画素電極と対向電極との電位差の極性が、直前の休止期間Ｔ２における上記電位差の極性と同じであり、かつ、次の休止期間Ｔ２に至るまでの走査期間Ｔ１における上記電位差の極性が走査期間Ｔ１ごとに反転するように、上記画素電極および／または対向電極の電位を制御する構成、もしくは、(iii) 上記画面を１回走査する走査期間Ｔ１を複数回設けた後、上記休止期間Ｔ２を設ける動作を、繰り返し行うに際し、休止期間Ｔ２直後の走査期間Ｔ１は、画素の画素電極と対向電極との電位差の極性が、直前の休止期間Ｔ２における上記電位差の極性と反転しており、かつ、次の休止期間Ｔ２に至るまでの走査期間Ｔ１における上記電位差の極性が同じになるように、上記画素電極および／または対向電極の電位を制御する構成とすればよい。
【０１３５】
まず、上記(Ｉ)の方法について図１９に示すタイミングチャートを例に挙げて以下に説明する。この場合、例えば、図１９に示すように、１回目の走査期間Ｔ１では、液晶に黒表示のためのプラス極性の電圧が印加され、２回目の走査期間Ｔ１では、マイナス極性の電圧が印加され、３回目の走査期間Ｔ１では、プラス極性の電圧が印加され、１回の走査ごとに液晶に印加される電圧の極性が反転し、その次の休止期間Ｔ２では、液晶がプラス極性の電圧を保持したままとなる。そして休止期間Ｔ２後の１回目の走査期間Ｔ１では、液晶がプラス極性の電圧を保持しているため、マイナス極性の電圧が印加され、２回目の走査期間Ｔ１では、プラス極性の電圧が印加され、３回目の走査期間Ｔ１では、マイナス極性の電圧が印加され、やはり１回の走査ごとに液晶に印加される極性が反転する。この結果、その次の休止期間Ｔ２では、液晶がマイナス極性の電圧を保持したままとなる。よって、休止期間Ｔ２中に液晶が保持している電圧は休止期間Ｔ２ごとにその極性が反転することになる。
【０１３６】
なお、前述したように、通常の駆動時では、１回の走査期間Ｔ１の走査時間が約１６．７ｍｓｅｃであり、液晶の応答速度が４０〜５０ｍｓｅｃとなるので上記繰返し周期は３回程度行えば、正常な表示ができる。
【０１３７】
しかし、必要な走査回数は、表示装置の材料、駆動タイミング、走査期間、応答速度、白表示時と黒表示時との液晶の誘電率の差、画素の総容量に対する液晶容量等によって変化する。
【０１３８】
従って、上記図１９においては、走査期間Ｔ１を奇数回（つまり、休止期間Ｔ２同士の間に奇数回）設けるに際し、走査期間Ｔ１を３回ずつ設けた場合を例に挙げて説明したが、本発明はこれに限定されるものではなく、上記走査期間Ｔ１は複数回で、かつ、奇数回であればその回数は限定されるものではない。
【０１３９】
また、図１９においては走査期間Ｔ１を３回ずつ設けた場合を例に挙げたが、液晶の応答速度が速い場合、２回で正常な表示となる場合もある。そこで、次に、上記(II)の方法について、図２０に示すように、走査期間Ｔ１を偶数回（つまり、休止期間Ｔ２同士の間に偶数回）設けるに際し、走査期間Ｔ１を２回ずつ設けた場合を例に挙げて以下に説明する。但し、本発明はこれに限定されるものではなく、上記走査期間Ｔ１は複数回で、かつ、偶数回であればその回数は限定されるものではない。
【０１４０】
図２０においては、１回目の走査期間Ｔ１では、液晶に黒表示のためのプラス極性の電圧が印加され、２回目の走査期間Ｔ１では、マイナス極性の電圧が印加され、１回の走査ごとに液晶に印加される電圧の極性が反転する。この結果、その次の休止期間Ｔ２では、液晶がマイナス極性の電圧を保持したままとなる。そして休止期間Ｔ２後の１回目の走査期間Ｔ１では、前記休止期間Ｔ２での極性と同じマイナス極性の電圧が液晶に印加され、２回目の走査期間Ｔ１では、プラス極性の電圧が印加され、やはり１回の走査ごとに液晶に印加される電圧の極性が反転する。この結果、その次の休止期間Ｔ２では、液晶がプラス極性の電圧を保持したままとなる。よって、休止期間Ｔ２中に液晶が保持している電圧は休止期間Ｔ２ごとにその極性が反転する。
【０１４１】
上記の（Ｉ）または（II）の方法によれば、一回の走査ごとに前記電位差の極性が反転する。つまり、例えば、液晶へ印加される電圧は、一回の走査期間Ｔ１ごとにその極性が反転する。また、上記（Ｉ）または(II)の方法によれば、休止期間Ｔ２中における上記電位差の極性を休止期間Ｔ２ごとに反転させることができ、休止期間Ｔ２中に例えば液晶が保持している電圧を休止期間Ｔ２ごとに反転させることができる。このため、上記（Ｉ）または(II)の方法によれば、液晶を交流駆動することが可能となり、液晶の信頼性や表示品位の低下を防ぐことができる。すなわち、上記（Ｉ）または(II)の方法によれば、交流駆動に適した表示装置において、良好な表示品位と低消費電力化とを共に実現させることができる。
【０１４２】
次に、上記(III)の方法について、図２１に示すタイミングチャートを例に挙げて以下に説明する。この場合、例えば、図２１に示すように、１回目の走査期間Ｔ１では、液晶に黒表示のためのプラス極性の電圧が液晶に印加され、その後、休止期間Ｔ２までのすべての走査期間Ｔ１でも、プラス極性の電圧が印加される。より具体的には、図２１に示すように、走査期間Ｔ１を２回設けた後、続いて休止期間Ｔ２を設ける場合、１回目の走査期間Ｔ１でプラス極性の電圧が液晶に印加されると、２回目の走査期間Ｔ１でもプラス極性の電圧が液晶に印加される。この結果、その次の休止期間Ｔ２では、液晶がプラス極性の電圧を保持したままとなる。そして休止期間Ｔ２後の１回目の走査期間Ｔ１では、液晶がプラス極性の電圧を保持しているため、マイナス極性の電圧が印加され、その後、次の休止期間Ｔ２までの、すべての走査期間Ｔ１でも、液晶にマイナス極性の電圧が印加される。この結果、その次の休止期間Ｔ２では、液晶がマイナス極性を保持したままとなり、休止期間Ｔ２中に液晶が保持している電圧は休止期間Ｔ２ごとにその極性が反転する。
【０１４３】
上記(III)の方法によれば、少なくとも、上記画面を１回走査する走査期間Ｔ１を複数回設けた後に上記休止期間Ｔ２を設ける動作を、繰り返し行う繰返し周期の中で大きな割合を占めている休止期間Ｔ２だけは、前記した電位差の極性、つまり、例えば、液晶表示装置においては、液晶が保持している電圧の極性が休止期間Ｔ２ごとに反転し、液晶を交流駆動することが可能となる。このため、液晶の信頼性や表示品位の低下を防ぐことができる。よって、上記(III)の方法を採用した場合においても、交流駆動に適した表示装置において、良好な表示品位と低消費電力化を共に実現させることができる。
【０１４４】
なお、図２１においては、走査期間Ｔ１を複数回（つまり、休止期間Ｔ２同士の間に複数回）設けるに際し、走査期間Ｔ１を２回ずつ設けた場合を例に挙げて説明したが、本発明はこれに限定されるものではなく、上記(III)の方法を採用する場合、休止期間Ｔ２同士の間に設けられる走査期間Ｔ１の回数は、複数回であれば、奇数回でも偶数回でも構わない。
【０１４５】
また、上記（Ｉ）〜(III)に示す方法の説明においては、走査期間Ｔ１を複数回連続して設けた後、上記休止期間Ｔ２を設けた場合のタイミングチャートを例にあげて説明したが、本発明はこれに限定されるものではなく、各走査期間Ｔ１同士の間に垂直帰線期間や、休止期間Ｔ２よりも短い非走査期間を設ける場合にも、上記方法を用いることで、上記した効果を得ることができる。
【０１４６】
さらに、図１９〜図２１においては、画素電極の電位を変更（制御）することで上記液晶にかかる電圧の極性を変更（制御）する方法について説明したが、本発明はこれに限定されるものではなく、前記したように画素電極および／または対向電極の電位を変更（制御）することで、液晶にかかる電圧の極性を変更（制御）し、上記液晶を交流駆動させることが可能である。
【０１４７】
例えば、図３および図４に示す液晶表示装置においては、上記休止期間Ｔ２中における画素電極２７と対向電極としての透明共通電極１９との電位差の極性が休止期間Ｔ２ごとに反転するように、画素電極２７の電位、もしくは画素電極２７と透明共通電極１９との電位を制御することが好ましい。このためには、例えば、走査信号線３１…が選択されている時のデータ信号線３２…の電極もしくは、走査信号線３１…が選択されている時のデータ信号線３２…と上記透明共通電極１９との電位を制御すればよい。
【０１４８】
例えば、液晶に±５Ｖの電位を印加する場合（黒表示時）、透明共通電極１９（対向電極）を０Ｖとし、画素電極２７に＋５Ｖ、もしくは−５Ｖの電位を印加（画素電極２７のみに交流電圧を印加）してもよく、透明共通電極１９に−３Ｖもしくは＋３Ｖの電圧を印加し、画素電極２７に＋２Ｖ（透明共通電極１９に−３Ｖの電圧印加時）もしくは−２Ｖ（透明共通電極１９に＋３Ｖの電圧印加時）の電圧を印加（画素電極２７と透明共通電極１９とに交流電圧を印加）してもよい。
【０１４９】
また、例えば、液晶に±３Ｖの電位を印加する場合（中間調表示時）、透明共通電極１９（対向電極）を０Ｖとし、画素電極２７に＋３Ｖ、もしくは−３Ｖの電位を印加（画素電極２７のみに交流電圧を印加）してもよく、透明共通電極１９に−３Ｖもしくは＋３Ｖの電圧を印加し、画素電極２７を０Ｖ（画素電極２７と透明共通電極１９とに交流電圧を印加）としてもよい。
【０１５０】
なお、図３および図４に示す液晶表示装置においては、画素電極２７と対向電極としての透明共通電極１９とが各々対向する別々のガラス基板１１・１２上に設けられた構成としたが、本発明の表示装置はこれに限定されるものではない。
【０１５１】
上記表示装置として、例えば、画素電極と対向電極とが同一基板上に形成されたＩＰＳ(in-plane-switching)方式を用いた構成とすることができる。また、上記表示装置として、画素電極とそれに対向する基板にデータ信号線を配したハイパーＬＣＤ(liquid crystal display)を用いることもできる。この場合、上記対向する基板側に設けられたデータ信号線におけるデータ信号のみを変更することにより画素を駆動することもできる。
【０１５２】
すなわち、本実施の形態において、上記「画素電極および／または対向電極」とは、ＩＰＳ方式を用いた表示装置や、ハイパーＬＣＤにおける画素電極および／または対向電極を含む。そして、上記方法は、このように液晶表示装置のみならず、交流駆動に適した表示装置全般に適用することが可能である。
【０１５３】
また、上記表示装置の駆動の際の別の問題として、上述したように、応答速度が遅く、印加されている電圧によって容量が変化する場合に、画面の書き換え周期以上に表示の応答速度が遅くなり、表示品位が低下するという事態が、常に画像が変化している動画や、静止画から動画に変化する場合等、表示が切り替わる場合に発生する。
【０１５４】
そこで、上記表示装置が、表示すべき画像の変化を検出する検出手段を備え、上記制御手段が、上記検出手段の検出結果に応じて表示動作、すなわち、当該表示装置の駆動を、表示すべき画像に変化がないときと表示すべき画像が変化したときとで切り替えることにより、静止画や動画など表示画像の種類ごとに最適な応答性、表示品位、低消費電力化を図ることができる。
【０１５５】
すなわち、本実施の形態にかかる液晶表示装置１は、図１１に示すように、コントロールＩＣ５に動き検出切替部８（検出手段、切替手段）を備えていてもよい。
【０１５６】
上記動き検出切替部８は、表示すべき画像の変化、つまり、表示すべき画像が変化したか否かを検出する回路であり、例えば表示すべき画像が動画であるか静止画であるかを検出する。
【０１５７】
上記動き検出切替部８は、図１１に示すように、画像メモリ６から、一定の間隔で送られてくる画像データが変化しているか、または、静止画のように変化していないかを検出することにより表示すべき画像の変化を検出するようになっていてもよく、図１２に示すように、コントロールＩＣ５外部からのモード切替信号等により画像の動きの有無を指定することで表示すべき画像の変化を検出するようになっていてもよい。
【０１５８】
上記動き検出切替部８が、画像メモリ６から、一定の間隔で送られてくる画像データが変化しているか、または、静止画のように変化していないかを検出することにより表示すべき画像の変化を検出する場合、該動き検出切替部８としては、例えばフレームメモリと比較器とで構成された回路であってもよい。
【０１５９】
また、上記動き検出切替部８が、コントロールＩＣ５外部からのモード切替信号等により画像の動きの有無を指定することで表示すべき画像の変化を検出する場合、上記動き検出切替部８は、例えば、コントロールＩＣ５におけるモード切替信号受信部として機能する。
【０１６０】
また、上記動き検出切替部８は、該動き検出切替部８に、走査モード（静止モード、変化モード、動画モード等）の切り替え（選択）用スイッチなどが備えられ、コントロールＩＣ５の制御により、走査モード（静止モード、変化モード、動画モード等）の切り替えを行う構成を有していてもよい。
【０１６１】
また、上記液晶表示装置１は、使用者が設定しやすいように液晶表示装置１の筐体外周面に走査モード（制止モード、変化モード、動画モード等）の切り替え（選択）用スイッチなどが備えられていてもよい。すなわち、上記液晶表示装置１は、走査モード（静止モード、変化モード、動画モード等）が外部から切り替えられるようになっていてもよい。この場合、上記液晶表示装置１は、動き検出切替部８にて、外部の走査モードの切り替え（選択）用スイッチにより指定（選択）された走査モードを検出し、この走査モードに基づいて、コントロールＩＣ５の制御により、指定された走査モードを実行する。
【０１６２】
なお、図１１および図１２は動き検出切替部８がコントロールＩＣ５の内部に組み込まれている構成であるが、これに限らず、動き検出切替部８がコントロールＩＣ５から独立して設けられた構成を有していてもよい。
【０１６３】
上記の液晶表示装置１では、上記動き検出切替部８で検出された結果に基づいて、ＧＳＰ変換回路７が制御され、走査期間Ｔ１を１回にするのか、または複数回とするかが切り替えられる。
【０１６４】
つまり、上記の液晶表示装置１では、表示すべき画像に変化がないときには、上記画面を１回走査した後、上記画面を１回走査する期間よりも長く全走査信号線を非走査状態とし、表示すべき画像が変化したときは、上記画面を複数回走査した後、上記画面を１回走査する期間よりも長く全走査信号線を非走査状態にする。
【０１６５】
具体的には、通常、つまり、画像が変化しない静止画などを表示する際には、前記図５、図６並びに図８に示すように、走査期間Ｔ１を１回のみ設けた後、休止期間Ｔ２を設ける動作（繰り返し間隔）を繰り返すことにより、表示を行う。すなわち、走査モードが静止モードに設定された場合、走査期間Ｔ１と休止期間Ｔ２とを交互に繰り返す。
【０１６６】
また、動画でも画像に動きの少ない表示を行う場合のように、画像データがある一定の間隔を開けて切り替わる場合等、動画から静止画への表示の切り替わりがある場合には、走査モードを変化モードに設定することで、図９に示すように、画像データが変化するとき、つまり、表示すべき画像が切り替わる（変化する）ときのみ走査期間Ｔ１を複数回（上記液晶表示装置１においては３回）設けた後、休止期間Ｔ２を設け、その後、走査期間Ｔ１と休止期間Ｔ２とを交互に繰り返す。つまり、表示すべき画像に変化がないときには走査期間Ｔ１と休止期間Ｔ２とを交互に繰り返す。
【０１６７】
また、常に画像が変化している動画などを表示する際には、前記図１並びに図１０に示すようにゲートスタートパルス信号ＧＳＰのパルス間隔（走査期間Ｔ１）を連続して複数回（上記液晶表示装置１においては３回）繰り返した後、休止期間Ｔ２を設ける繰り返し間隔を繰り返して、次々と画面を書き換えることにより表示を行う。すなわち、走査モードが動画モードに設定された場合、走査期間Ｔ１を複数回繰り返し、その後、休止期間Ｔ２を設ける駆動を繰り返す。なお、動画モードとは、変化モードで画像変化が連続的に変化した場合に相当する。
【０１６８】
上記の駆動を行うことで、不用意に走査回数を増やすことなく、画像変化に対応した表示を行うことができ、画質の劣化を防止することができると共に、省電力化を図ることができる。なお、上記休止期間Ｔ２は、その全部あるいは一部が停止期間であってもよいことは言うまでもない。
【０１６９】
すなわち、本実施の形態にかかる表示装置の駆動方法は、画素がマトリクス状に配置されてなる画面の各ラインを、各々のラインにおける画素の走査信号線に走査信号を印加することにより選択して上記画面を走査、例えば線順次に走査し、選択されたラインの画素にデータ信号線からデータ信号を供給して表示を行う表示装置の駆動方法であって、表示すべき画像に変化がないときには、上記画面を１回走査する走査期間の後、該走査期間よりも長く全走査信号線を非走査状態とする休止期間を設け、表示すべき画像が変化したときは、上記休止期間を、画面を複数回走査した後で設ける方法であってもよい。
【０１７０】
また、本実施の形態にかかる表示装置は、画素がマトリクス状に配置されてなる画面の各ラインを、各々のラインにおける画素の走査信号線に走査信号を印加することにより選択して上記画面を走査、例えば線順次に走査し、選択されたラインの画素にデータ信号線からデータ信号を供給して表示を行う表示装置において、当該表示装置の駆動を制御する制御手段と、表示すべき画像の変化を検出する検出手段とを備え、上記制御手段は、上記検出手段の検出結果に応じて、表示すべき画像に変化がないときには、上記画面を１回走査した後、上記画面を１回走査する期間よりも長く全走査信号線を非走査状態とし、表示すべき画像が変化したときは、上記画面を複数回走査した後、上記画面を１回走査する期間よりも長く全走査信号線を非走査状態にする構成であってもよい。
【０１７１】
本実施の形態によれば、上記したように、少なくとも、表示すべき画像が変化したときには、上記休止期間を、画面を複数回走査した後で設けることで、十分な表示の応答速度を確保し、明るさ、コントラスト、応答速度、階調性などの基本的な表示品位を満たした状態で、容易に十分な低消費電力化を図ることができる。
【０１７２】
そして、特に、表示すべき画像に変化がないときは画面の走査を１回のみ行い、表示が切り替わったとき、すなわち、表示すべき画像が変化したときのみ画面の走査を複数回繰り返すことで、静止画や動画など表示画像の種類ごとに最適な応答性、表示品位、低消費電力化を図ることができ、十分な表示の応答速度を確保し、明るさ、コントラスト、応答速度、階調性などの基本的な表示品位を満たした状態で、画面を書き換える回数、すなわち、データ信号を出力している時間をより一層短くすることができ、より一層低消費電力化を図ることができる。
【０１７３】
そして、上記表示装置においても表示すべき画像が変化した時、すなわち、走査期間Ｔ１を複数回設けた後に、休止期間Ｔ２を設ける場合、上記した動作を繰返し行うに際しては、前記した方法（Ｉ）〜(III)の何れかの方法、言い換えれば、これら（Ｉ）〜(III)の方法を実施するための前記した各構成（ｉ）〜(iii)の何れかの構成を採用することで、良好な表示品位と低消費電力化との両方を実現することができる。
【０１７４】
また、表示すべき画像に変化がないときと表示すべき画像が変化したときとで上記表示装置の駆動を切り替えるに際し、表示すべき画像に変化がないときの書き換え周期を、通常の書き換え周期（所定の書き換え周期）よりも長くし、表示すべき画像が変化したときのみ、通常の書き換え周期（所定の書き換え周期）にて上記画面を少なくとも１回、好適には複数回走査することにより、静止画や動画など表示画像の種類ごとに最適な応答性、表示品位、低消費電力化を図ることもできる。
【０１７５】
つまり、例えば、前記液晶表示装置１において、上記コントロールＩＣ５においてＧＳＰ変換回路を制御し、上記動き検出切替部８で検出された結果に基づいて、静止画の表示を行う場合と動画の表示を行う場合とで、ゲートスタートパルス信号ＧＳＰのパルス間隔を変更することで、静止画や動画など表示画像の種類ごとに最適な応答性、表示品位、低消費電力化を図ることができる。
【０１７６】
具体的には、例えば、通常のＮＴＳＣの走査期間（必要に応じて帰線期間が設けられていてもよく、この場合は、走査期間と帰線期間との合計）が１６．７ｍｓｅｃ、つまり、ゲートスタートパルス信号ＧＳＰのパルス間隔が約１６．７ｍｓｅｃである場合（すなわち、前記したように表示のフレーム周波数が通常の６０Ｈｚである場合）、図１３あるいは図１４に示すように、表示すべき画像に変化がないときは書き換え周期（すなわち、リフレッシュ周期）を通常の１０倍の１６７ｍｓｅｃと長くすることにより、低消費電力化を図ることができる。なお、ＮＴＳＣでは、書き換え周期が１垂直期間となる。
【０１７７】
そして、このように走査期間（走査期間Ｔ１）でその書き換え周期が長い場合に、画像が変化したときには通常の書き換え周期（この場合は１６．７ｍｓｅｃ）にて少なくとも１回、好適には図１３に示すように複数回画面の走査を行うことで、画像変化に対して速やかに対応することができる。
【０１７８】
つまり、例えばＡからＢに画像が変化する際に、書き換え周期（１垂直期間）と書き換え周期（１垂直期間）との間に書き換え周期（リフレッシュ周期）よりも短い走査期間を少なくとも１回設けることで、画像変化（Ａ→Ｂ）への表示の追随性を向上させることができ、速く画像を変化させることができる。そして、このとき、書き換え周期（１垂直期間）と書き換え周期（１垂直期間）との間に書き換え周期（リフレッシュ周期）よりも短い走査期間を複数回（例えば図１３に示すように２回、より好適には前記したように例えば３回）設けることで、画素への充電を十分に行うことができる。
【０１７９】
以下、該走査方法、すなわち、本実施の形態にかかる上記駆動方法について、図１４を参照して、表示画像がＡからＢに切り替わった場合に、短い書き換え周期２（例では１６．７ｍｓｅｃ）を他の書き換え周期１と書き換え周期３との間に入れる場合を例に挙げてより具体的に説明する。
【０１８０】
図１４では、書き換え周期２は書き換え周期１・３・４（例えば１６７ｍｓｅｃ）よりも短く（例えば１６．７ｍｓｅｃ）設定している。書き換え周期２は、短い方が画像変化に対する追随性が向上するため短い方が良いが、短すぎると画素への充電が明らかに不足するため、各ディスプレイの充電特性等により決定される所定の値（ここでは１６．７ｍｓｅｃ）以上であることが望ましい。このため、好適には通常のリフレッシュモード時の周期（ここでは１６．７ｍｓｅｃ）に設定される。
【０１８１】
なお、書き換え周期１・４は低リフレシュモードであり、図１４では書き換え周期を共に１６７ｍｓｅｃとしたが、互いに異なっていても構わない。
【０１８２】
また、書き換え周期３は書き換え周期１または４（図１４では１６７ｍｓｅｃ）から書き換え周期２（図１４では１６．７ｍｓｅｃ）を引いた残りとして規定したが、この部分を厳密に規定する必要はない。これは、図１４では書き換え周期１および書き換え周期４、並びに、書き換え周期２と書き換え周期３との和が、各々１６７ｍｓｅｃに設定されているのに対して、書き換え周期２は、１６．７ｍｓｅｃに設定されているように、通常、他の書き換え周期１・３・４より十分小さく設定されることから、書き換え周期３は書き換え周期１または４に近いものであるためである。
【０１８３】
なお、図１４において、各書き換え周期１・３・４は、各々の期間全体を走査期間としてもよいし、また、各々の期間を、例えば走査期間と休止期間との和により構成してもよい。
【０１８４】
後者の場合、書き換え周期２を短くすることは、書き換え周期３の期間を長くとることができ、書き換え周期３の期間中の休止期間を長くできるので、低電力化により一層寄与することができる。また、前者の場合、画像変化への表示の追随性をより一層、向上させることができる。
【０１８５】
このように、表示すべき画像に変化がないときの書き換え周期を所定の書き換え周期よりも長くし、表示すべき画像が変化したときは、所定の書き換え周期、つまり、例えば各ディスプレイの充電特性等により決定される書き換え周期にて、上記画面を少なくとも１回、好適には複数回、例えば連続して走査することで、画像変化への表示の追随性を向上させることができ、画像変化を速やかに行うことができる。
【０１８６】
すなわち、本実施の形態にかかる表示装置の駆動方法は、画素がマトリクス状に配置されてなる画面の各ラインを、各々のラインにおける画素の走査信号線に走査信号を印加することにより選択して上記画面を所定の書き換え周期で走査、例えば線順次に走査し、選択されたラインの画素にデータ信号線からデータ信号を供給して表示を行う表示装置の駆動方法であって、表示すべき画像に変化がないときの書き換え周期を所定の書き換え周期よりも長くし、表示すべき画像が変化したときのみ、所定の書き換え周期にて上記画面を少なくとも１回、好適には複数回走査する方法であってもよい。
【０１８７】
上記の方法によれば、上記表示装置の駆動に際しては、表示すべき画像に変化がないときは、上記画面は、所定の書き換え周期よりも長い周期にて走査が行われ、表示すべき画像が変化したときは、上記画面は、所定の書き換え周期にて走査が行われる。これにより、表示すべき画像が変化したときは、表示すべき画像に変化がないときよりも短い書き換え周期で走査が行われる。また、表示すべき画像に変化がないときの書き換え周期が所定の書き換え周期よりも長い場合、表示すべき画像が変化したときは、表示すべき画像に変化がないときよりも短い書き換え周期で上記画面の走査が複数回、例えば連続して行われる。
【０１８８】
また、本実施の形態にかかる表示装置は、画素がマトリクス状に配置されてなる画面の各ラインを、各々のラインにおける画素の走査信号線に走査信号を印加することにより選択して上記画面を所定の書き換え周期で走査、例えば線順次に走査し、選択されたラインの画素にデータ信号線からデータ信号を供給して表示を行う表示装置において、当該表示装置の駆動を制御する制御手段と、表示すべき画像の変化を検出する検出手段とを備え、上記制御手段は、表示すべき画像に変化がないときの書き換え周期が所定の書き換え周期よりも長く、表示すべき画像が変化したときのみ、所定の書き換え周期にて上記画面を少なくとも１回、好適には複数回、例えば連続して走査するように、上記検出手段の検出結果に応じて上記走査信号線への走査信号の印加を制御する構成であってもよい。
【０１８９】
これにより、表示すべき画像に変化がないときには、画面を書き換える回数、すなわち、データ信号を出力している時間をより一層短くすることができ、静止画のように動きのない表示（表示すべき画像に変化がない表示）や動画でも画像の動きの少ない表示などに対しては、画面を書き換えることによる消費電力を、明るさ、コントラスト、応答速度、階調性などの基本的な表示品位を保ったまま削減することができる。一方、表示すべき画像が変化したときは、画素電極に、所望の輝度を得るための所定の電圧まで速やかに電圧を印加することができ、画像変化を速やかに行うことができる。
【０１９０】
この結果、十分な表示の応答速度を確保し、明るさ、コントラスト、応答速度、階調性などの基本的な表示品位を満たした状態で、容易に十分な低消費電力化を図ることができる。
【０１９１】
なお、上記の説明においては、前記走査が線順次に行われる場合を例に挙げて説明したが、本実施の形態はこれに限定されるものではなく、連続的な走査のみならず、飛び越し走査や間引き走査が行われてもよい。
【０１９２】
以上、本実施の形態では、反射型のアクティブマトリクス型液晶表示装置を例に挙げて説明したが、本実施の形態にかかる表示装置の駆動方法並びに表示装置としては、これに限定されるものではなく、単純マルチプレックス液晶表示装置、ＥＬ（Electro Luminescense）表示装置、ＰＤＰ(Plasma Display Panel)、ｇｉｒｉｃｏｎなどでもよい。また、上記の表示装置は、携帯電話、ポケットゲーム機、ＰＤＡ(Personal Digital Assistants)、携帯ＴＶ、リモートコントロール、ノート型パーソナルコンピュータ、その他の携帯端末などに搭載可能である。これらの携帯機器はバッテリー駆動されることが多く、良好な表示品位を保ったままの低消費電力化を図れる表示装置を搭載することにより、長時間駆動が可能になる。
【０１９３】
【発明の効果】
本発明の表示装置の駆動方法は、以上のように、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置の駆動方法であって、上記画面を１回走査する期間よりも長く全走査信号線を非走査状態とする休止期間を、上記画面を複数回走査した後で設ける方法である。
【０１９４】
それゆえ、表示の応答が完了するまで繰り返し書き込みを行うことができ、複数回の走査期間と休止期間とからなる繰り返し間隔よりも短い期間で応答を完了させることができるので十分な表示の応答速度を確保し、明るさ、コントラスト、応答速度、階調性などの基本的な表示品位を満たすことができると共に、画面を書き換える回数、すなわち、データ信号を出力している時間を短くすることができるので、データ信号の供給周波数に正比例して増加するデータ信号線ドライバ（ソースドライバ）の消費電力、画素を充電する電力を容易に削減することができる。
【０１９５】
このため、十分な表示の応答速度を確保し、明るさ、コントラスト、応答速度、階調性などの基本的な表示品位を満たした状態で、容易に十分な低消費電力化を図ることができるという効果を奏する。
【０１９６】
本発明の表示装置の駆動方法は、以上のように、上記画面を１回走査する走査期間を複数回連続して設けた後、上記休止期間を設ける方法である。
【０１９７】
それゆえ、液晶表示装置等、垂直帰線期間を必要とせず、走査期間を連続して設けることが可能である表示装置においては、上記走査期間を複数回連続して設けた後、上記休止期間を設けることで、各走査期間の間に垂直帰線期間あるいは短い非走査期間を設けた場合と比較して、十分な表示の応答速度を確保することができるという効果を奏する。
【０１９８】
また、本発明の表示装置の駆動方法は、以上のように、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置の駆動方法であって、表示すべき画像に変化がないときには、上記画面を１回走査する走査期間の後、該走査期間よりも長く全走査信号線を非走査状態とする休止期間を設け、表示すべき画像が変化したときは、上記休止期間を、画面を複数回走査した後で設ける方法である。
【０１９９】
それゆえ、静止画のように動きのない表示（表示すべき画像に変化がない表示）や動画でも画像の動きの少ない表示などに対しては、画面を書き換えることによる消費電力を、明るさ、コントラスト、応答速度、階調性などの基本的な表示品位を保ったまま削減することができる。また、動画のように表示すべき画像が変化するときには、省電力化を図る一方で、表示の応答が完了するまで繰り返し書き込みを行うことができ、複数回の走査期間と休止期間とからなる繰り返し間隔よりも短い期間で応答を完了させることができるので十分な表示の応答速度を確保し、明るさ、コントラスト、応答速度、階調性などの基本的な表示品位を満たすことができる。つまり、静止画や動画など表示画像の種類ごとに最適な応答性、表示品位、低消費電力化を図ることができる。
【０２００】
このため、十分な表示の応答速度を確保し、明るさ、コントラスト、応答速度、階調性などの基本的な表示品位を満たした状態で、画面を書き換える回数、すなわち、データ信号を出力している時間をより一層短くすることができ、より一層低消費電力化を図ることができるという効果を奏する。
【０２０１】
本発明の表示装置の駆動方法は、以上のように、表示すべき画像が変化したとき、上記走査期間を複数回連続して設けた後、上記休止期間を設ける方法である。
【０２０２】
それゆえ、液晶表示装置等、垂直帰線期間を必要とせず、走査期間を連続して設けることが可能である表示装置においては、上記走査期間を複数回連続して設けた後、上記休止期間を設けることで、各走査期間の間に垂直帰線期間あるいは短い非走査期間を設けた場合と比較して、十分な表示の応答速度を確保することができるという効果を奏する。
【０２０３】
本発明の表示装置の駆動方法は、以上のように、上記休止期間中に、表示に無関係な回路の動作を停止する停止期間を設ける方法である。
【０２０４】
それゆえ、休止期間において表示に無関係な回路によって消費される電力を削減することができる。このため、表示装置全体の消費電力をさらに低減することができるという効果を奏する。
【０２０５】
本発明の表示装置に駆動方法は、以上のように、上記画面を１回走査する走査期間を複数回連続して設けた後に上記休止期間を設ける動作を、繰り返し行うに際し、上記走査期間を奇数回連続して設けた後、上記休止期間を設けると共に、走査期間ごとに、画素の画素電極と対向電極との電位差の極性が反転するように、上記画素電極および／または対向電極の電位を制御する方法である。
【０２０６】
また、本発明の表示装置に駆動方法は、以上のように、上記画面を１回走査する走査期間を複数回連続して設けた後に上記休止期間を設ける動作を、繰り返し行うに際し、上記走査期間を偶数回連続して設けた後、上記休止期間を設けると共に、休止期間直後の走査期間は、画素の画素電極と対向電極との電位差の極性が、直前の休止期間における上記電位差の極性と同じであり、かつ、次の休止期間に至るまでの走査期間における上記電位差の極性が走査期間ごとに反転するように、上記画素電極および／または対向電極の電位を制御する方法である。
【０２０７】
上記の各方法によれば、一回の走査ごとに上記電位差の極性が反転する。また、上記の各方法によれば、休止期間中における上記電位差の極性を、休止期間ごとに反転させることができる。このため、上記の方法によれば、上記表示装置を交流駆動することが可能となる。このため、例えば、液晶表示装置のように交流駆動に適した表示装置において、例えば、液晶に直流が印加されることに起因する液晶の信頼性や表示品位の低下を防止することができる。よって、上記の方法によれば、良好な表示品位の実現と低消費電力化の両方を満足させることができるという効果を奏する。
【０２０８】
また、本発明の表示装置の駆動方法においては、上記画面を１回走査する走査期間を複数回連続して設けた後に上記休止期間を設ける動作を、繰り返し行うに際し、休止期間直後の走査期間は、画素の画素電極と対向電極との電位差の極性が、直前の休止期間における上記電位差の極性と反転しており、かつ、次の休止期間に至るまでの走査期間における上記電位差の極性が同じになるように、上記画素電極および／または対向電極の電位を制御する方法である。
【０２０９】
上記方法によれば、少なくとも、上記画面を１回走査する走査期間を複数回連続して設けた後に上記休止期間を設ける動作を、繰り返し行う繰返し周期の中で大きな割合を占めている休止期間だけは、上記電位差の極性が反転することで、上記表示装置を、交流駆動することが可能となる。このため、例えば、液晶表示装置のように交流駆動に適した表示装置において、例えば、液晶に直流が印加されることに起因する液晶の信頼性や表示品位の低下を防止することができる。よって、上記の方法によれば、良好な表示品位の実現と低消費電力化の両方を満足させることができるという効果を奏する。
【０２１０】
本発明の表示装置の駆動方法は、以上のように、画素がマトリクス状に配置されてなる画面の各ラインを、各々のラインにおける画素の走査信号線に走査信号を印加することにより選択して上記画面を所定の書き換え周期で走査し、選択されたラインの画素にデータ信号線からデータ信号を供給して表示を行う表示装置の駆動方法であって、表示すべき画像に変化がないときの書き換え周期を所定の書き換え周期よりも長くし、表示すべき画像が変化したときのみ、所定の書き換え周期にて上記画面を走査する方法である。
【０２１１】
それゆえ、静止画のように動きのない表示（表示すべき画像に変化がない表示）や動画でも画像の動きの少ない表示などに対しては、画面を書き換える回数、すなわち、データ信号を出力している時間を短くすることができ、画面を書き換えることによる消費電力を、明るさ、コントラスト、応答速度、階調性などの基本的な表示品位を保ったまま削減することができる。また、動画のように表示すべき画像が変化するときには、画像変化への表示の追随性を向上させることができ、画像変化を速やかに行うことができる。この結果、十分な表示の応答速度を確保し、明るさ、コントラスト、応答速度、階調性などの基本的な表示品位を満たすことができる。つまり、静止画や動画など表示画像の種類ごとに最適な応答性、表示品位、低消費電力化を図ることができる。
【０２１２】
このため、十分な表示の応答速度を確保し、明るさ、コントラスト、応答速度、階調性などの基本的な表示品位を満たした状態で、容易に十分な低消費電力化を図ることができるという効果を奏する。
【０２１３】
また、本発明の表示装置の駆動方法は、以上のように、表示すべき画像が変化したときのみ、所定の書き換え周期にて上記画面を複数回走査する方法である。
【０２１４】
それゆえ、表示すべき画像が変化したときに、画素電極に十分な電圧を印加し、画素への充電を十分に行うことができると共に、画素電極に、所望の輝度を得るための所定の電圧まで速やかに電圧を印加することができ、画像変化を速やかに行うことができるという効果を奏する。
【０２１５】
本発明の表示装置は、以上のように、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置において、当該表示装置の駆動を制御する制御手段を備え、上記制御手段は、上記画面を複数回走査した後、上記画面を１回走査する期間よりも長く全走査信号線を非走査状態とする構成である。
【０２１６】
それゆえ、表示の応答が完了するまで繰り返し書き込みを行うことができ、複数回の走査期間と休止期間とからなる繰り返し間隔よりも短い期間で応答を完了させることができるので十分な表示の応答速度を確保し、明るさ、コントラスト、応答速度、階調性などの基本的な表示品位を満たすことができると共に、画面を書き換える回数、すなわち、データ信号を出力している時間を短くすることができるので、データ信号の供給周波数に正比例して増加するデータ信号線ドライバ（ソースドライバ）の消費電力、画素を充電する電力を容易に削減することができる。
【０２１７】
このため、十分な表示の応答速度を確保し、明るさ、コントラスト、応答速度、階調性などの基本的な表示品位を満たした状態で、容易に十分な低消費電力化を図ることができるという効果を奏する。
【０２１８】
本発明の表示装置は、以上のように、上記制御手段は、上記画面を１回走査する走査期間を複数回連続して設けた後、上記画面を１回走査する走査期間よりも長く全走査信号線を非走査状態とする構成である。
【０２１９】
それゆえ、上記表示装置が例えば液晶表示装置である場合等、垂直帰線期間を必要としない表示装置においては、上記走査期間を複数回連続して設けた後、上記休止期間を設けることで、各走査期間の間に垂直帰線期間あるいは短い非走査期間を設けた場合と比較して、十分な表示の応答速度を確保することができるという効果を奏する。
【０２２０】
本発明の表示装置は、以上のように、画素がマトリクス状に配置されてなる画面の各ラインを、各々のラインにおける画素の走査信号線に走査信号を印加することにより選択して上記画面を走査し、選択されたラインの画素にデータ信号線からデータ信号を供給して表示を行う表示装置において、当該表示装置の駆動を制御する制御手段と、表示すべき画像の変化を検出する検出手段とを備え、上記制御手段は、上記検出手段の検出結果に応じて、表示すべき画像に変化がないときには、上記画面を１回走査した後、上記画面を１回走査する期間よりも長く全走査信号線を非走査状態とし、表示すべき画像が変化したときは、上記画面を複数回走査した後、上記画面を１回走査する期間よりも長く全走査信号線を非走査状態にする構成である。
【０２２１】
それゆえ、静止画のように動きのない表示（表示すべき画像に変化がない表示）や動画でも画像の動きの少ない表示などに対しては、画面を書き換えることによる消費電力を、明るさ、コントラスト、応答速度、階調性などの基本的な表示品位を保ったまま削減することができる。また、動画のように表示すべき画像が変化するときには、省電力化を図る一方で、表示の応答が完了するまで繰り返し書き込みを行うことができ、複数回の走査期間と休止期間とからなる繰り返し間隔よりも短い期間で応答を完了させることができるので十分な表示の応答速度を確保し、明るさ、コントラスト、応答速度、階調性などの基本的な表示品位を満たすことができる。つまり、静止画や動画など表示画像の種類ごとに最適な応答性、表示品位、低消費電力化を図ることができる。
【０２２２】
このため、十分な表示の応答速度を確保し、明るさ、コントラスト、応答速度、階調性などの基本的な表示品位を満たした状態で、画面を書き換える回数、すなわち、データ信号を出力している時間をより一層短くすることができ、より一層低消費電力化を図ることができるという効果を奏する。
【０２２３】
本発明の表示装置は、以上のように、上記制御手段は、表示すべき画像が変化したとき、上記画面を１回走査する走査期間を複数回連続して設けた後、上記画面を１回走査する走査期間よりも長く全走査信号線を非走査状態とする構成である。
【０２２４】
それゆえ、上記表示装置が例えば液晶表示装置である場合等、垂直帰線期間を必要としない表示装置においては、上記走査期間を複数回連続して設けた後、上記休止期間を設けることで、各走査期間の間に垂直帰線期間あるいは短い非走査期間を設けた場合と比較して、十分な表示の応答速度を確保することができるという効果を奏する。
【０２２５】
本発明の表示装置は、以上のように、上記制御手段は、上記画面を１回走査する走査期間を複数回連続して設けた後に上記画面を１回走査する走査期間よりも長く全走査信号線を非走査状態とする休止期間を設ける動作を、繰り返し行うに際し、上記走査期間を奇数回設けた後、上記休止期間を設けると共に、走査期間ごとに、画素の画素電極と対向電極との電位差の極性が反転するように、上記画素電極および／または対向電極の電位を制御する構成である。
【０２２６】
また、本発明の表示装置は、以上のように、上記制御手段は、上記画面を１回走査する走査期間を複数回連続して設けた後に上記画面を１回走査する走査期間よりも長く全走査信号線を非走査状態とする休止期間を設ける動作を、繰り返し行うに際し、上記走査期間を偶数回連続して設けた後、上記休止期間を設けると共に、休止期間直後の走査期間は、画素の画素電極と対向電極との電位差の極性が、直前の休止期間における上記電位差の極性と同じであり、かつ、次の休止期間に至るまでの走査期間における上記電位差の極性が走査期間ごとに反転するように、上記画素電極および／または対向電極の電位を制御する構成である。
【０２２７】
上記の各構成によれば、一回の走査ごとに上記電位差の極性が反転する。また、上記の各構成によれば、休止期間中における上記電位差の極性を休止期間ごとに反転させることができる。このため、上記の構成によれば、交流駆動が可能であり、例えば液晶表示装置のように交流駆動に適した表示装置において、例えば、液晶に直流が印加された場合に液晶の信頼性が低下し、表示品位が低下するようなことがない。よって上記の構成によれば、良好な表示品位の実現と低消費電力化の両方を消費する、交流駆動可能な表示装置を提供することができるという効果を奏する。
【０２２８】
また、本発明の液晶表示装置においては、上記制御手段は、上記画面を１回走査する走査期間を複数回連続して設けた後に上記画面を１回走査する走査期間よりも長く全走査信号線を非走査状態とする休止期間を設ける動作を、繰り返し行うに際し、休止期間直後の走査期間は、画素の画素電極と対向電極との電位差の極性が、直前の休止期間における上記電位差の極性と反転しており、かつ、次の休止期間に至るまでの走査期間における上記電位差の極性が同じになるように、上記画素電極および／または対向電極の電位を制御する構成である。
【０２２９】
上記構成によれば、少なくとも、上記画面を１回走査する走査期間を複数回連続して設けた後に上記休止期間を設ける動作を、繰り返し行う繰返し周期の中で大きな割合を占めている休止期間だけは、上記電位差の極性が反転することで、交流駆動が可能となる。このため、例えば液晶表示装置のように交流駆動に適した表示装置において、例えば、液晶に直流が印加された場合に液晶の信頼性が低下し、表示品位が低下するようなことがない。よって上記の構成によれば、良好な表示品位の実現と低消費電力化の両方を消費する、交流駆動可能な表示装置を提供することができるという効果を奏する。
【０２３０】
本発明の表示装置は、以上のように、画素がマトリクス状に配置されてなる画面の各ラインを、各々のラインにおける画素の走査信号線に走査信号を印加することにより選択して上記画面を所定の書き換え周期で走査し、選択されたラインの画素にデータ信号線からデータ信号を供給して表示を行う表示装置において、当該表示装置の駆動を制御する制御手段と、表示すべき画像の変化を検出する検出手段とを備え、上記制御手段は、表示すべき画像に変化がないときの書き換え周期が所定の書き換え周期よりも長く、表示すべき画像が変化したときのみ、所定の書き換え周期にて上記画面を走査するように、上記検出手段の検出結果に応じて上記走査信号線への走査信号の印加を制御する構成である。
【０２３１】
それゆえ、静止画のように動きのない表示（表示すべき画像に変化がない表示）や動画でも画像の動きの少ない表示などに対しては、画面を書き換える回数、すなわち、データ信号を出力している時間を短くすることができ、画面を書き換えることによる消費電力を、明るさ、コントラスト、応答速度、階調性などの基本的な表示品位を保ったまま削減することができる。また、動画のように表示すべき画像が変化するときには、上記画面を所定の書き換え周期にて走査するように走査信号の印加を制御することで、画像変化への表示の追随性を向上させることができ、画像変化を速やかに行うことができる。つまり、静止画や動画など表示画像の種類ごとに最適な応答性、表示品位、低消費電力化を図ることができる。
【０２３２】
従って、上記の構成によれば、十分な表示の応答速度を確保し、明るさ、コントラスト、応答速度、階調性などの基本的な表示品位を満たした状態で、容易に十分な低消費電力化を図ることができる表示装置を提供することができるという効果を奏する。
【０２３３】
また、本発明の表示装置は、以上のように、上記制御手段は、表示すべき画像が変化したときのみ、所定の書き換え周期にて上記画面を複数回連続して走査するように、上記検出手段の検出結果に応じて上記走査信号線への走査信号の印加を制御する構成である。
【０２３４】
それゆえ、表示すべき画像が変化したときに、画素電極に十分な電圧を印加し、画素への充電を十分に行うことができると共に、画素電極に、所望の輝度を得るための所定の電圧まで速やかに電圧を印加することができ、画像変化を速やかに行うことができるという効果を奏する。
【図面の簡単な説明】
【図１】  本発明の一実施の形態にかかる表示装置の駆動方法を説明するタイミングチャートである。
【図２】  本発明の一実施の形態にかかる表示装置の構成を示すシステムブロック図である。
【図３】  図２に示す表示装置の液晶パネルの構成を示す断面図である。
【図４】  図２に示す表示装置の液晶パネルの構成を示す平面透視図である。
【図５】  走査期間と休止期間とを垂直周期ごとに繰り返すときの表示装置の駆動について説明するタイミングチャートである。
【図６】  走査期間と休止期間とを垂直周期ごとに繰り返すときの表示装置の駆動について説明する他のタイミングチャートである。
【図７】  表示装置の画素部の等価回路を示す回路図であり、（ａ）は白表示状態を示し、（ｂ）は黒表示状態を示す。
【図８】  静止画モードにおける表示装置の駆動方法を説明するタイミングチャートである。
【図９】  変化モードにおける表示装置の駆動方法を説明するタイミングチャートである。
【図１０】  動画モードにおける表示装置の駆動方法を説明するタイミングチャートである。
【図１１】  本発明の一実施の形態にかかる表示装置の駆動方法を用いた表示装置の他の構成を示すシステムブロック図である。
【図１２】  本発明の一実施の形態にかかる表示装置のさらに他の構成を示すシステムブロック図である。
【図１３】  本発明の一実施の形態にかかる表示装置の他の駆動方法を説明するタイミングチャートである。
【図１４】  本発明の一実施の形態にかかる表示装置のさらに他の駆動方法を説明するタイミングチャートである。
【図１５】  マトリクス型表示装置の構成を示すブロック図である。
【図１６】  従来の表示装置の駆動方法を説明するタイミングチャートである。
【図１７】  垂直帰線期間を説明する説明図である。
【図１８】  交流駆動される表示装置において走査期間を複数回設けた後、休止期間を設ける動作を、繰返し行う場合に、上記走査期間を偶数回設けた場合の表示装置の駆動について説明するタイミングチャートである。
【図１９】  本発明の一実施形態に係る表示装置を交流駆動させるための方法を説明するタイミングチャートである。
【図２０】  本発明の一実施形態に係る表示装置を交流駆動させるための他の方法を説明するタイミングチャートである。
【図２１】  本発明の一実施形態に係る表示装置を交流駆動させるためのさらに他の方法を説明するタイミングチャートである。
【符号の説明】
１    液晶表示装置（表示装置）
２    液晶パネル（液晶表示素子）
３    ゲートドライバ（走査信号線のドライバ）
４    ソースドライバ（データ信号線のドライバ）
５    コントロールＩＣ（制御手段）
６    画像メモリ（画像データ蓄積手段）
７    ＧＳＰ変換回路
８    動き検出切替部（検出手段）
１４    ＴＦＴ（アクティブ素子）
３１    走査信号線
３２    データ信号線
Ｃｃｌ  液晶容量
Ｃｃｓ  補助容量
Ｔ      非選択期間
Ｔ１    走査期間
Ｔ２    休止期間
【図１】
0003730159.tif 000002
【図２】
0003730159.tif 000003
【図３】
0003730159.tif 000004
【図４】
0003730159.tif 000005
【図５】
0003730159.tif 000006
【図６】
0003730159.tif 000007
【図７】
0003730159.tif 000008
【図８】
0003730159.tif 000009
【図９】
0003730159.tif 000010
【図１０】
0003730159.tif 000011
【図１１】
0003730159.tif 000012
【図１２】
0003730159.tif 000013
【図１３】
0003730159.tif 000014
【図１４】
0003730159.tif 000015
【図１５】
0003730159.tif 000016
【図１６】
0003730159.tif 000017
【図１７】
0003730159.tif 000018
【図１８】
0003730159.tif 000019
【図１９】
0003730159.tif 000020
【図２０】
0003730159.tif 000021
【図２１】
0003730159.tif 000022